(57)【要約】  無線アクセス技術(RAT)の使用は、基地局またはアクセスノードなどのワイヤレスノードにおける1つまたは複数のノード機能を使用するワイヤレス通信を可能にし得る。加えて、複数のワイヤレスノードは、フレーム構造と整合されたスケジュールを使用して、ネットワークにおいて通信し得る。たとえば、ワイヤレスノードは、ミリ波(mmW)RATなどの、同期されたフレーム構造をサポートするRATを使用して、異なるワイヤレスノードとのリンクを確立し得る。ワイヤレスノードは、アクセスノード機能(ANF)およびユーザ機器機能(UEF)などの1つまたは複数のノード機能をインスタンス化し得る。次いで、ワイヤレスノードは、ノード機能を使用するアクティブモードおよび中断モードに従って通信し得、通信は、フレーム構造と整合されたスケジュールに基づく。
2019527977.tif 000002
【特許請求の範囲】
【請求項１】
ワイヤレスノードにおけるワイヤレス通信のための方法であって、
アップリンク送信およびダウンリンク送信のための同期されたスロット付きフレーム構造をサポートする無線アクセス技術(RAT)を使用して、対応する1つまたは複数の他のワイヤレスノードとの1つまたは複数の通信リンクを確立するステップと、
前記ワイヤレスノードにおいて、前記1つまたは複数の他のワイヤレスノードにおけるノード機能に少なくとも部分的に基づいて、1つまたは複数のノード機能をインスタンス化するステップであって、前記1つまたは複数のノード機能は、アクセスノード機能(ANF)およびユーザ機器機能(UEF)から選択される、ステップと、
前記1つまたは複数のノード機能を使用するアクティブモードまたは中断モードに従って、前記1つまたは複数の他のワイヤレスノードと通信するステップと
を備える方法。
【請求項２】
スケジュールに少なくとも部分的に基づいて、前記1つまたは複数のノード機能の各々のために指定された前記アクティブモードと前記中断モードとの間で切り替えるステップであって、前記スケジュールは、前記スロット付きフレーム構造と整合される、ステップ
をさらに備える、請求項1に記載の方法。
【請求項３】
前記ANFをインスタンス化するステップと、
前記アクティブモード中に、前記1つまたは複数の通信リンクを介してデータトラフィックをスケジュールするステップと
をさらに備える、請求項1に記載の方法。
【請求項４】
前記UEFをインスタンス化するステップと、
前記アクティブモード中に、前記1つまたは複数の通信リンクを介してデータトラフィックのためのスケジューリング命令に従うステップと
をさらに備える、請求項1に記載の方法。
【請求項５】
前記ANFをインスタンス化するステップと、
前記1つまたは複数の通信リンク上でダウンリンクデータを送信するステップと、
前記1つまたは複数の通信リンク上でアップリンクデータを受信するステップと
をさらに備える、請求項1に記載の方法。
【請求項６】
前記UEFをインスタンス化するステップと、
前記1つまたは複数の通信リンク上でアップリンクデータを送信するステップと、
前記1つまたは複数の通信リンク上でダウンリンクデータを受信するステップと
をさらに備える、請求項1に記載の方法。
【請求項７】
前記ANFをインスタンス化するステップと、
1つまたは複数のユーザ機器(UE)と通信するステップと、
前記通信に少なくとも部分的に基づいて、前記1つまたは複数のUEと前記1つまたは複数の他のワイヤレスノードとの間でデータを転送するステップと
をさらに備える、請求項1に記載の方法。
【請求項８】
前記1つまたは複数のUEと通信する前記ステップおよび前記1つまたは複数のノード機能を使用して通信する前記ステップが、ワイヤレスリソースの同じセットを共有する、請求項7に記載の方法。
【請求項９】
前記1つまたは複数の他のワイヤレスノードのうちの第1のワイヤレスノードと通信するために少なくとも1つのUEFをインスタンス化するステップと、
前記第1のワイヤレスノードと通信するために少なくとも1つのANFをインスタンス化するステップと
をさらに備える、請求項1に記載の方法。
【請求項１０】
前記1つまたは複数の他のワイヤレスノードのうちの第1のワイヤレスノードと通信するために少なくとも第1のUEFをインスタンス化するステップと、
前記1つまたは複数の他のワイヤレスノードのうちの第2のワイヤレスノードと通信するために少なくとも第2のUEFをインスタンス化するステップであって、前記第1のワイヤレスノードは、前記第2のワイヤレスノードとは異なる、ステップと
をさらに備える、請求項1に記載の方法。
【請求項１１】
前記1つまたは複数の他のワイヤレスノードがUEFとしてインスタンス化されているかまたはインスタンス化されることになることを確認すると、前記ANFをインスタンス化するステップ
をさらに備える、請求項1に記載の方法。
【請求項１２】
前記1つまたは複数の他のワイヤレスノードがANFとしてインスタンス化されているかまたはインスタンス化されることになることを確認すると、前記UEFをインスタンス化するステップ
をさらに備える、請求項1に記載の方法。
【請求項１３】
前記1つまたは複数の他のワイヤレスノードに関連付けられたルーティングテーブルにアクセスするステップと、
前記ルーティングテーブルに少なくとも部分的に基づいて、前記ワイヤレスノードと前記1つまたは複数の他のワイヤレスノードとの間でデータを転送するステップと
をさらに備える、請求項1に記載の方法。
【請求項１４】
前記1つまたは複数の他のワイヤレスノードに関連付けられたルーティング機能をインスタンス化するステップと、
前記ルーティング機能に従って、前記ワイヤレスノードと前記1つまたは複数の他のワイヤレスノードとの間でデータを転送するステップと
をさらに備える、請求項1に記載の方法。
【請求項１５】
前記1つまたは複数のノード機能に関連付けられたルーティングテーブルにアクセスするステップと、
前記ルーティングテーブルに少なくとも部分的に基づいて、前記1つまたは複数のノード機能の間でデータを転送するステップと
をさらに備える、請求項1に記載の方法。
【請求項１６】
前記1つまたは複数のノード機能に関連付けられたルーティング機能をインスタンス化するステップと、
前記ルーティング機能に従って、前記1つまたは複数のノード機能の間でデータを転送するステップと
をさらに備える、請求項1に記載の方法。
【請求項１７】
前記1つまたは複数の通信リンクが、前記ワイヤレスノードと別のワイヤレスノードとの間の単一のリンクを備える、請求項1に記載の方法。
【請求項１８】
前記ワイヤレスノードあるいは前記1つまたは複数の他のワイヤレスノードが、ネットワークのためのワイヤラインバックホールリンクと結合される、請求項1に記載の方法。
【請求項１９】
前記1つまたは複数の通信リンクが、バックホールリンクを備える、請求項1に記載の方法。
【請求項２０】
前記ワイヤレスノードおよび前記1つまたは複数の他のワイヤレスノードが、バックホールアクセスノードを備える、請求項1に記載の方法。
【請求項２１】
前記RATが、ミリ波RATを備える、請求項1に記載の方法。
【請求項２２】
ワイヤレスノードにおけるワイヤレス通信のための装置であって、
アップリンク送信およびダウンリンク送信のための同期されたスロット付きフレーム構造をサポートする無線アクセス技術(RAT)を使用して、対応する1つまたは複数の他のワイヤレスノードとの1つまたは複数の通信リンクを確立するための手段と、
前記ワイヤレスノードにおいて、前記1つまたは複数の他のワイヤレスノードにおけるノード機能に少なくとも部分的に基づいて、1つまたは複数のノード機能をインスタンス化するための手段であって、前記1つまたは複数のノード機能は、アクセスノード機能(ANF)およびユーザ機器機能(UEF)から選択される、手段と、
前記1つまたは複数のノード機能を使用するアクティブモードまたは中断モードに従って、前記1つまたは複数の他のワイヤレスノードと通信するための手段と
を備える装置。
【請求項２３】
スケジュールに少なくとも部分的に基づいて、前記1つまたは複数のノード機能の各々のために指定された前記アクティブモードと前記中断モードとの間で切り替えるための手段であって、前記スケジュールは、前記スロット付きフレーム構造と整合される、手段
をさらに備える、請求項22に記載の装置。
【請求項２４】
前記ANFをインスタンス化するための手段と、
前記アクティブモード中に、前記1つまたは複数の通信リンクを介してデータトラフィックをスケジュールするための手段と、
前記1つまたは複数の通信リンク上でダウンリンクデータを送信するための手段と、
前記1つまたは複数の通信リンク上でアップリンクデータを受信するための手段と
をさらに備える、請求項22に記載の装置。
【請求項２５】
前記UEFをインスタンス化するための手段と、
前記アクティブモード中に、前記1つまたは複数の通信リンクを介してデータトラフィックのためのスケジューリング命令に従うための手段と、
前記1つまたは複数の通信リンク上でアップリンクデータを送信するための手段と、
前記1つまたは複数の通信リンク上でダウンリンクデータを受信するための手段と
をさらに備える、請求項22に記載の装置。
【請求項２６】
前記ANFをインスタンス化するための手段と、
1つまたは複数のユーザ機器(UE)と通信するための手段であって、前記1つまたは複数のUEと通信するための前記手段および前記1つまたは複数のノード機能を使用して通信するための前記手段が、ワイヤレスリソースの同じセットを共有する、手段と、
前記通信に少なくとも部分的に基づいて、前記1つまたは複数のUEと前記1つまたは複数の他のワイヤレスノードとの間でデータを転送するための手段と
をさらに備える、請求項22に記載の装置。
【請求項２７】
前記1つまたは複数の他のワイヤレスノードのうちの第1のワイヤレスノードと通信するために少なくとも1つのUEFをインスタンス化するための手段と、
前記第1のワイヤレスノードと通信するために少なくとも1つのANFをインスタンス化するための手段と
をさらに備える、請求項22に記載の装置。
【請求項２８】
前記1つまたは複数の他のワイヤレスノードのうちの第1のワイヤレスノードと通信するために少なくとも第1のUEFをインスタンス化するための手段と、
前記1つまたは複数の他のワイヤレスノードのうちの第2のワイヤレスノードと通信するために少なくとも第2のUEFをインスタンス化するための手段であって、前記第1のワイヤレスノードは、前記第2のワイヤレスノードとは異なる、手段と
をさらに備える、請求項22に記載の装置。
【請求項２９】
前記1つまたは複数の他のワイヤレスノードに関連付けられたルーティングテーブルにアクセスするための手段と、
前記ルーティングテーブルに少なくとも部分的に基づいて、前記ワイヤレスノードと前記1つまたは複数の他のワイヤレスノードとの間でデータを転送するための手段と
をさらに備える、請求項22に記載の装置。
【請求項３０】
前記1つまたは複数の他のワイヤレスノードに関連付けられたルーティング機能をインスタンス化するための手段と、
前記ルーティング機能に従って、前記ワイヤレスノードと前記1つまたは複数の他のワイヤレスノードとの間でデータを転送するための手段と
をさらに備える、請求項22に記載の装置。
【請求項３１】
前記1つまたは複数のノード機能に関連付けられたルーティングテーブルにアクセスするための手段と、
前記ルーティングテーブルに少なくとも部分的に基づいて、前記1つまたは複数のノード機能の間でデータを転送するための手段と
をさらに備える、請求項22に記載の装置。
【請求項３２】
前記1つまたは複数のノード機能に関連付けられたルーティング機能をインスタンス化するための手段と、
前記ルーティング機能に従って、前記1つまたは複数のノード機能の間でデータを転送するための手段と
をさらに備える、請求項22に記載の装置。
【請求項３３】
ワイヤレスノードにおけるワイヤレス通信のための装置であって、
プロセッサと、
前記プロセッサと電子通信しているメモリと、
前記メモリに記憶され、前記プロセッサによって実行されると、
アップリンク送信およびダウンリンク送信のための同期されたスロット付きフレーム構造をサポートする無線アクセス技術(RAT)を使用して、対応する1つまたは複数の他のワイヤレスノードとの1つまたは複数の通信リンクを確立することと、
前記ワイヤレスノードにおいて、前記1つまたは複数の他のワイヤレスノードにおけるノード機能に少なくとも部分的に基づいて、1つまたは複数のノード機能をインスタンス化することであって、前記1つまたは複数のノード機能は、アクセスノード機能(ANF)およびユーザ機器機能(UEF)から選択される、インスタンス化することと、
前記1つまたは複数のノード機能を使用するアクティブモードまたは中断モードに従って、前記1つまたは複数の他のワイヤレスノードと通信することと
を前記装置に行わせるように動作可能な命令と
を備える装置。
【請求項３４】
前記命令がさらに、
スケジュールに少なくとも部分的に基づいて、前記1つまたは複数のノード機能の各々のために指定された前記アクティブモードと前記中断モードとの間で切り替えることであって、前記スケジュールは、前記スロット付きフレーム構造と整合される、切り替えること
を行うように前記プロセッサによって実行可能である、請求項33に記載の装置。
【請求項３５】
前記命令がさらに、
前記ANFをインスタンス化することと、
前記アクティブモード中に、前記1つまたは複数の通信リンクを介してデータトラフィックをスケジュールすることと、
前記1つまたは複数の通信リンク上でダウンリンクデータを送信することと、
前記1つまたは複数の通信リンク上でアップリンクデータを受信することと
を行うように前記プロセッサによって実行可能である、請求項33に記載の装置。
【請求項３６】
前記命令がさらに、
前記UEFをインスタンス化することと、
前記アクティブモード中に、前記1つまたは複数の通信リンクを介してデータトラフィックのためのスケジューリング命令に従うことと、
前記1つまたは複数の通信リンク上でアップリンクデータを送信することと、
前記1つまたは複数の通信リンク上でダウンリンクデータを受信することと
を行うように前記プロセッサによって実行可能である、請求項33に記載の装置。
【請求項３７】
前記命令がさらに、
前記ANFをインスタンス化することと、
1つまたは複数のユーザ機器(UE)と通信することであって、前記1つまたは複数のUEと通信するように前記プロセッサによって実行可能な前記命令および前記1つまたは複数のノード機能を使用して通信するように前記プロセッサによって実行可能な前記命令が、ワイヤレスリソースの同じセットを共有する、通信することと、
前記通信に少なくとも部分的に基づいて、前記1つまたは複数のUEと前記1つまたは複数の他のワイヤレスノードとの間でデータを転送することと
を行うように前記プロセッサによって実行可能である、請求項33に記載の装置。
【請求項３８】
前記命令がさらに、
前記1つまたは複数の他のワイヤレスノードのうちの第1のワイヤレスノードと通信するために少なくとも1つのUEFをインスタンス化することと、
前記第1のワイヤレスノードと通信するために少なくとも1つのANFをインスタンス化することと
を行うように前記プロセッサによって実行可能である、請求項33に記載の装置。
【請求項３９】
前記命令がさらに、
前記1つまたは複数の他のワイヤレスノードのうちの第1のワイヤレスノードと通信するために少なくとも第1のUEFをインスタンス化することと、
前記1つまたは複数の他のワイヤレスノードのうちの第2のワイヤレスノードと通信するために少なくとも第2のUEFをインスタンス化することであって、前記第1のワイヤレスノードは、前記第2のワイヤレスノードとは異なる、インスタンス化することと
を行うように前記プロセッサによって実行可能である、請求項33に記載の装置。
【請求項４０】
前記命令がさらに、
前記1つまたは複数の他のワイヤレスノードがUEFとしてインスタンス化されているかまたはインスタンス化されることになることを確認すると、前記ANFをインスタンス化すること
を行うように前記プロセッサによって実行可能である、請求項33に記載の装置。
【請求項４１】
前記命令がさらに、
前記1つまたは複数の他のワイヤレスノードがANFとしてインスタンス化されているかまたはインスタンス化されることになることを確認すると、前記UEFをインスタンス化すること
を行うように前記プロセッサによって実行可能である、請求項33に記載の装置。
【請求項４２】
前記命令がさらに、
前記1つまたは複数の他のワイヤレスノードに関連付けられたルーティングテーブルにアクセスすることと、
前記ルーティングテーブルに少なくとも部分的に基づいて、前記ワイヤレスノードと前記1つまたは複数の他のワイヤレスノードとの間でデータを転送することと
を行うように前記プロセッサによって実行可能である、請求項33に記載の装置。
【請求項４３】
前記命令がさらに、
前記1つまたは複数の他のワイヤレスノードに関連付けられたルーティング機能をインスタンス化することと、
前記ルーティング機能に従って、前記ワイヤレスノードと前記1つまたは複数の他のワイヤレスノードとの間でデータを転送することと
を行うように前記プロセッサによって実行可能である、請求項33に記載の装置。
【請求項４４】
前記命令がさらに、
前記1つまたは複数のノード機能に関連付けられたルーティングテーブルにアクセスすることと、
前記ルーティングテーブルに少なくとも部分的に基づいて、前記1つまたは複数のノード機能の間でデータを転送することと
を行うように前記プロセッサによって実行可能である、請求項33に記載の装置。
【請求項４５】
前記命令がさらに、
前記1つまたは複数のノード機能に関連付けられたルーティング機能をインスタンス化することと、
前記ルーティング機能に従って、前記1つまたは複数のノード機能の間でデータを転送することと
を行うように前記プロセッサによって実行可能である、請求項33に記載の装置。
【請求項４６】
前記1つまたは複数の通信リンクが、前記ワイヤレスノードと別のワイヤレスノードとの間の単一のリンクを備える、請求項33に記載の装置。
【請求項４７】
前記ワイヤレスノードあるいは前記1つまたは複数の他のワイヤレスノードが、ネットワークのためのワイヤラインバックホールリンクと結合される、請求項33に記載の装置。
【請求項４８】
前記1つまたは複数の通信リンクが、バックホールリンクを備える、請求項33に記載の装置。
【請求項４９】
前記ワイヤレスノードおよび前記1つまたは複数の他のワイヤレスノードが、バックホールアクセスノードを備える、請求項33に記載の装置。
【請求項５０】
前記RATが、ミリ波RATを備える、請求項33に記載の装置。
【請求項５１】
ワイヤレスノードにおけるワイヤレス通信のためのコードを記憶するコンピュータ可読記憶媒体であって、前記コードが、
アップリンク送信およびダウンリンク送信のための同期されたスロット付きフレーム構造をサポートする無線アクセス技術(RAT)を使用して、対応する1つまたは複数の他のワイヤレスノードとの1つまたは複数の通信リンクを確立することと、
前記ワイヤレスノードにおいて、前記1つまたは複数の他のワイヤレスノードにおけるノード機能に少なくとも部分的に基づいて、1つまたは複数のノード機能をインスタンス化することであって、前記1つまたは複数のノード機能は、アクセスノード機能(ANF)およびユーザ機器機能(UEF)から選択される、インスタンス化することと、
前記1つまたは複数のノード機能を使用するアクティブモードまたは中断モードに従って、前記1つまたは複数の他のワイヤレスノードと通信することと
を行うようにプロセッサによって実行可能な命令を備える、コンピュータ可読記憶媒体。
【請求項５２】
前記命令がさらに、
スケジュールに少なくとも部分的に基づいて、前記1つまたは複数のノード機能の各々のために指定された前記アクティブモードと前記中断モードとの間で切り替えることであって、前記スケジュールは、前記スロット付きフレーム構造と整合される、切り替えること
を行うように前記プロセッサによって実行可能である、請求項51に記載のコンピュータ可読記憶媒体。
【請求項５３】
前記命令がさらに、
前記ANFをインスタンス化することと、
前記アクティブモード中に、前記1つまたは複数の通信リンクを介してデータトラフィックをスケジュールすることと、
前記1つまたは複数の通信リンク上でダウンリンクデータを送信することと、
前記1つまたは複数の通信リンク上でアップリンクデータを受信することと
を行うように前記プロセッサによって実行可能である、請求項51に記載のコンピュータ可読記憶媒体。
【請求項５４】
前記命令がさらに、
前記UEFをインスタンス化することと、
前記アクティブモード中に、前記1つまたは複数の通信リンクを介してデータトラフィックのためのスケジューリング命令に従うことと、
前記1つまたは複数の通信リンク上でアップリンクデータを送信することと、
前記1つまたは複数の通信リンク上でダウンリンクデータを受信することと
を行うように前記プロセッサによって実行可能である、請求項51に記載のコンピュータ可読記憶媒体。
【請求項５５】
前記命令がさらに、
前記ANFをインスタンス化することと、
1つまたは複数のユーザ機器(UE)と通信することであって、前記1つまたは複数のUEと通信するように前記プロセッサによって実行可能な前記命令および前記1つまたは複数のノード機能を使用して通信するように前記プロセッサによって実行可能な前記命令が、ワイヤレスリソースの同じセットを共有する、通信することと、
前記通信に少なくとも部分的に基づいて、前記1つまたは複数のUEと前記1つまたは複数の他のワイヤレスノードとの間でデータを転送することと
を行うように前記プロセッサによって実行可能である、請求項51に記載のコンピュータ可読記憶媒体。
【請求項５６】
前記命令がさらに、
前記1つまたは複数の他のワイヤレスノードのうちの第1のワイヤレスノードと通信するために少なくとも1つのUEFをインスタンス化することと、
前記第1のワイヤレスノードと通信するために少なくとも1つのANFをインスタンス化することと
を行うように前記プロセッサによって実行可能である、請求項51に記載のコンピュータ可読記憶媒体。
【請求項５７】
前記命令がさらに、
前記1つまたは複数の他のワイヤレスノードのうちの第1のワイヤレスノードと通信するために少なくとも第1のUEFをインスタンス化することと、
前記1つまたは複数の他のワイヤレスノードのうちの第2のワイヤレスノードと通信するために少なくとも第2のUEFをインスタンス化することであって、前記第1のワイヤレスノードは、前記第2のワイヤレスノードとは異なる、インスタンス化することと
を行うように前記プロセッサによって実行可能である、請求項51に記載のコンピュータ可読記憶媒体。
【請求項５８】
前記命令がさらに、
前記1つまたは複数の他のワイヤレスノードに関連付けられたルーティングテーブルにアクセスすることと、
前記ルーティングテーブルに少なくとも部分的に基づいて、前記ワイヤレスノードと前記1つまたは複数の他のワイヤレスノードとの間でデータを転送することと
を行うように前記プロセッサによって実行可能である、請求項51に記載のコンピュータ可読記憶媒体。
【請求項５９】
前記命令がさらに、
前記1つまたは複数の他のワイヤレスノードに関連付けられたルーティング機能をインスタンス化することと、
前記ルーティング機能に従って、前記ワイヤレスノードと前記1つまたは複数の他のワイヤレスノードとの間でデータを転送することと
を行うように前記プロセッサによって実行可能である、請求項51に記載のコンピュータ可読記憶媒体。
【請求項６０】
前記命令がさらに、
前記1つまたは複数のノード機能に関連付けられたルーティングテーブルにアクセスすることと、
前記ルーティングテーブルに少なくとも部分的に基づいて、前記1つまたは複数のノード機能の間でデータを転送することと
を行うように前記プロセッサによって実行可能である、請求項51に記載のコンピュータ可読記憶媒体。
【請求項６１】
前記命令がさらに、
前記1つまたは複数のノード機能に関連付けられたルーティング機能をインスタンス化することと、
前記ルーティング機能に従って、前記1つまたは複数のノード機能の間でデータを転送することと
を行うように前記プロセッサによって実行可能である、請求項51に記載のコンピュータ可読記憶媒体。
【発明の詳細な説明】
【技術分野】
【０００１】
相互参照
本特許出願は、各々が本出願の譲受人に譲渡された、2017年1月23日に出願された「Coordination of Signaling and Resource Allocation in a Wireless Network Using Radio Access Technology」と題する、Hampelらによる米国特許出願第15/412,362号、および2016年8月4日に出願された「Coordination of Signaling and Resource Allocation in a Wireless Network Using Radio Access Technology」と題する、Hampelらによる米国仮特許出願第62/370,900号の優先権を主張する。
【０００２】
以下は、一般に、ワイヤレスノードにおけるワイヤレス通信に関し、より詳細には、たとえば、無線アクセス技術(RAT)を使用するワイヤレスバックホールネットワークなどのワイヤレスネットワークにおけるシグナリングおよびリソース割振りの協調に関する。
【背景技術】
【０００３】
ワイヤレス通信システムは、音声、ビデオ、パケットデータ、メッセージング、ブロードキャストなどの様々なタイプの通信コンテンツを提供するために広く展開されている。これらのシステムは、利用可能なシステムリソース(たとえば、時間、周波数、および電力)を共有することによって、複数のユーザとの通信をサポートすることが可能であり得る。そのような多元接続システムの例は、符号分割多元接続(CDMA)システム、時分割多元接続(TDMA)システム、周波数分割多元接続(FDMA)システム、および直交周波数分割多元接続(OFDMA)システム(たとえば、ロングタームエボリューション(LTE)システム)を含む。ワイヤレス多元接続通信システムは、場合によってはユーザ機器(UE)として知られていることがある複数の通信デバイスのための通信を各々が同時にサポートする、アクセスノードまたは基地局などのいくつかのワイヤレスノードを含み得る。
【０００４】
いくつかのワイヤレス通信システムでは、アクセスノードは、一般に、ネットワークエンティティへのロバストなワイヤラインリンクを享受することができ、ネットワークエンティティは、近隣アクセスノードがバックホール送信を協調させるためのバックホール通信の態様を協調させる(たとえば、ネットワークエンティティは、タイミング情報、セル識別情報などを提供する)。ミリ波(mmW)周波数範囲内で動作するアクセスノードは、縮小されたカバレージエリア(たとえば、より小さい地理的フットプリント、指向性送信など)に関連付けられる場合があり、その結果として、許容可能なカバレージエリアをユーザに提供するために、より多数のアクセスノードが展開される場合がある。結果として、ワイヤレス通信システム内のいくつかのアクセスノードは、ワイヤラインバックホールリンクと結合されない場合があり、代わりに、バックホール通信のためにワイヤレスバックホールリンクを使用する場合がある。しかしながら、mmWアクセスノードのそのような密な展開は、コヒーレントなワイヤレスリソース割振りおよびスケジューリングを提供する技法がない場合、非効率的なリソース割振りおよび協調されていないシグナリングの影響を受けることがある。
【発明の概要】
【課題を解決するための手段】
【０００５】
説明する技法は、たとえば、無線アクセス技術(RAT)を使用するワイヤレスバックホールネットワークなどのワイヤレスネットワークにおける協調されたシグナリングおよびリソース割振りをサポートする、改善された方法、システム、デバイス、または装置に関する。一般に、説明する技法は、ワイヤレスノード(たとえば、基地局、アクセスノードなど)における1つまたは複数のノード機能を使用するワイヤレスバックホール通信を可能にするためのRATの使用を実現する。加えて、複数のワイヤレスノードは、フレーム構造と整合されたスケジュールを使用して、バックホールネットワークにおいて通信し得る。たとえば、ワイヤレスノードは、ミリ波(mmW)RATなどの、同期されたフレーム構造をサポートするRATを使用して、異なるワイヤレスノードとのリンクを確立し得る。ワイヤレスノードは各々、アクセスノード機能(ANF)またはユーザ機器機能(UEF)などの1つまたは複数のノード機能をインスタンス化し得る。次いで、ワイヤレスノードは、ノード機能を使用するアクティブモードおよび中断モードに従って通信し得、通信は、フレーム構造と整合されたスケジュールに基づく。
【０００６】
ワイヤレスノードにおけるワイヤレス通信の方法について説明する。方法は、アップリンク送信およびダウンリンク送信のための同期されたスロット付きフレーム構造をサポートするRATを使用して、対応する1つまたは複数の他のワイヤレスノードとの1つまたは複数の通信リンクを確立するステップと、ワイヤレスノードにおいて、1つまたは複数の他のワイヤレスノードにおけるノード機能に少なくとも部分的に基づいて、1つまたは複数のノード機能をインスタンス化するステップであって、1つまたは複数のノード機能は、ANFおよびUEFから選択される、ステップと、1つまたは複数のノード機能を使用するアクティブモードまたは中断モードに従って、1つまたは複数の他のワイヤレスノードと通信するステップとを含み得る。
【０００７】
ワイヤレスノードにおけるワイヤレス通信のための装置について説明する。装置は、アップリンク送信およびダウンリンク送信のための同期されたスロット付きフレーム構造をサポートするRATを使用して、対応する1つまたは複数の他のワイヤレスノードとの1つまたは複数の通信リンクを確立するための手段と、ワイヤレスノードにおいて、1つまたは複数の他のワイヤレスノードにおけるノード機能に少なくとも部分的に基づいて、1つまたは複数のノード機能をインスタンス化するための手段であって、1つまたは複数のノード機能は、ANFおよびUEFから選択される、手段と、1つまたは複数のノード機能を使用するアクティブモードまたは中断モードに従って、1つまたは複数の他のワイヤレスノードと通信するための手段とを含み得る。
【０００８】
ワイヤレスノードにおけるワイヤレス通信のための別の装置について説明する。装置は、プロセッサと、プロセッサと電子通信しているメモリと、メモリに記憶された命令とを含み得る。命令は、アップリンク送信およびダウンリンク送信のための同期されたスロット付きフレーム構造をサポートするRATを使用して、対応する1つまたは複数の他のワイヤレスノードとの1つまたは複数の通信リンクを確立することと、ワイヤレスノードにおいて、1つまたは複数の他のワイヤレスノードにおけるノード機能に少なくとも部分的に基づいて、1つまたは複数のノード機能をインスタンス化することであって、1つまたは複数のノード機能は、ANFおよびUEFから選択される、インスタンス化することと、1つまたは複数のノード機能を使用するアクティブモードまたは中断モードに従って、1つまたは複数の他のワイヤレスノードと通信することとをプロセッサに行わせるように動作可能であり得る。
【０００９】
ワイヤレスノードにおけるワイヤレス通信のための非一時的コンピュータ可読媒体について説明する。非一時的コンピュータ可読媒体は、アップリンク送信およびダウンリンク送信のための同期されたスロット付きフレーム構造をサポートするRATを使用して、対応する1つまたは複数の他のワイヤレスノードとの1つまたは複数の通信リンクを確立することと、ワイヤレスノードにおいて、1つまたは複数の他のワイヤレスノードにおけるノード機能に少なくとも部分的に基づいて、1つまたは複数のノード機能をインスタンス化することであって、1つまたは複数のノード機能は、ANFおよびUEFから選択される、インスタンス化することと、1つまたは複数のノード機能を使用するアクティブモードまたは中断モードに従って、1つまたは複数の他のワイヤレスノードと通信することとをプロセッサに行わせるように動作可能な命令を含み得る。
【００１０】
上記で説明した方法、装置、および非一時的コンピュータ可読媒体のいくつかの例は、スケジュールに少なくとも部分的に基づいて、1つまたは複数のノード機能の各々のために指定されたアクティブモードと中断モードとの間で切り替えるためのプロセス、特徴、手段、または命令をさらに含み得、スケジュールは、スロット付きフレーム構造と整合され得る。上記で説明した方法、装置、および非一時的コンピュータ可読媒体のいくつかの例は、ANFをインスタンス化するためのプロセス、特徴、手段、または命令をさらに含み得る。上記で説明した方法、装置、および非一時的コンピュータ可読媒体のいくつかの例は、アクティブモード中に、1つまたは複数の通信リンクを介してデータトラフィックをスケジュールするためのプロセス、特徴、手段、または命令をさらに含み得る。
【００１１】
上記で説明した方法、装置、および非一時的コンピュータ可読媒体のいくつかの例は、UEFをインスタンス化するためのプロセス、特徴、手段、または命令をさらに含み得る。上記で説明した方法、装置、および非一時的コンピュータ可読媒体のいくつかの例は、アクティブモード中に、1つまたは複数の通信リンクを介してデータトラフィックのためのスケジューリング命令に従うためのプロセス、特徴、手段、または命令をさらに含み得る。上記で説明した方法、装置、および非一時的コンピュータ可読媒体のいくつかの例は、ANFをインスタンス化するためのプロセス、特徴、手段、または命令をさらに含み得る。上記で説明した方法、装置、および非一時的コンピュータ可読媒体のいくつかの例は、1つまたは複数の通信リンク上でダウンリンクデータを送信するためのプロセス、特徴、手段、または命令をさらに含み得る。上記で説明した方法、装置、および非一時的コンピュータ可読媒体のいくつかの例は、1つまたは複数の通信リンク上でアップリンクデータを受信するためのプロセス、特徴、手段、または命令をさらに含み得る。
【００１２】
上記で説明した方法、装置、および非一時的コンピュータ可読媒体のいくつかの例は、UEFをインスタンス化するためのプロセス、特徴、手段、または命令をさらに含み得る。上記で説明した方法、装置、および非一時的コンピュータ可読媒体のいくつかの例は、1つまたは複数の通信リンク上でアップリンクデータを送信するためのプロセス、特徴、手段、または命令をさらに含み得る。上記で説明した方法、装置、および非一時的コンピュータ可読媒体のいくつかの例は、1つまたは複数の通信リンク上でダウンリンクデータを受信するためのプロセス、特徴、手段、または命令をさらに含み得る。
【００１３】
上記で説明した方法、装置、および非一時的コンピュータ可読媒体のいくつかの例は、ANFをインスタンス化するためのプロセス、特徴、手段、または命令をさらに含み得る。上記で説明した方法、装置、および非一時的コンピュータ可読媒体のいくつかの例は、1つまたは複数のユーザ機器(UE)と通信するためのプロセス、特徴、手段、または命令をさらに含み得る。上記で説明した方法、装置、および非一時的コンピュータ可読媒体のいくつかの例は、通信に少なくとも部分的に基づいて、1つまたは複数のUEと1つまたは複数の他のワイヤレスノードとの間でデータを転送するためのプロセス、特徴、手段、または命令をさらに含み得る。
【００１４】
上記で説明した方法、装置、および非一時的コンピュータ可読媒体のいくつかの例では、1つまたは複数のUEと通信することおよび1つまたは複数のノード機能を使用して通信することは、ワイヤレスリソースの同じセットを共有する。上記で説明した方法、装置、および非一時的コンピュータ可読媒体のいくつかの例は、1つまたは複数の他のワイヤレスノードのうちの第1のワイヤレスノードと通信するために少なくとも1つのUEFをインスタンス化するためのプロセス、特徴、手段、または命令をさらに含み得る。上記で説明した方法、装置、および非一時的コンピュータ可読媒体のいくつかの例は、第1のワイヤレスノードと通信するために少なくとも1つのANFをインスタンス化するためのプロセス、特徴、手段、または命令をさらに含み得る。
【００１５】
上記で説明した方法、装置、および非一時的コンピュータ可読媒体のいくつかの例は、1つまたは複数の他のワイヤレスノードのうちの第1のワイヤレスノードと通信するために少なくとも第1のUEFをインスタンス化するためのプロセス、特徴、手段、または命令をさらに含み得る。上記で説明した方法、装置、および非一時的コンピュータ可読媒体のいくつかの例は、1つまたは複数の他のワイヤレスノードのうちの第2のワイヤレスノードと通信するために少なくとも第2のUEFをインスタンス化するためのプロセス、特徴、手段、または命令をさらに含み得、第1のワイヤレスノードは、第2のワイヤレスノードとは異なり得る。
【００１６】
上記で説明した方法、装置、および非一時的コンピュータ可読媒体のいくつかの例は、1つまたは複数の他のワイヤレスノードがUEFとしてインスタンス化され得るかまたはインスタンス化されることになり得ることを確認すると、ANFをインスタンス化するためのプロセス、特徴、手段、または命令をさらに含み得る。上記で説明した方法、装置、および非一時的コンピュータ可読媒体のいくつかの例は、1つまたは複数の他のワイヤレスノードがANFとしてインスタンス化され得るかまたはインスタンス化されることになり得ることを確認すると、UEFをインスタンス化するためのプロセス、特徴、手段、または命令をさらに含み得る。
【００１７】
上記で説明した方法、装置、および非一時的コンピュータ可読媒体のいくつかの例は、1つまたは複数の他のワイヤレスノードに関連付けられたルーティングテーブルにアクセスするためのプロセス、特徴、手段、または命令をさらに含み得る。上記で説明した方法、装置、および非一時的コンピュータ可読媒体のいくつかの例は、ルーティングテーブルに少なくとも部分的に基づいて、ワイヤレスノードと1つまたは複数の他のワイヤレスノードとの間でデータを転送するためのプロセス、特徴、手段、または命令をさらに含み得る。
【００１８】
上記で説明した方法、装置、および非一時的コンピュータ可読媒体のいくつかの例は、1つまたは複数の他のワイヤレスノードに関連付けられたルーティング機能をインスタンス化するためのプロセス、特徴、手段、または命令をさらに含み得る。上記で説明した方法、装置、および非一時的コンピュータ可読媒体のいくつかの例は、ルーティング機能に従って、ワイヤレスノードと1つまたは複数の他のワイヤレスノードとの間でデータを転送するためのプロセス、特徴、手段、または命令をさらに含み得る。
【００１９】
上記で説明した方法、装置、および非一時的コンピュータ可読媒体のいくつかの例は、1つまたは複数のノード機能に関連付けられたルーティングテーブルにアクセスするためのプロセス、特徴、手段、または命令をさらに含み得る。上記で説明した方法、装置、および非一時的コンピュータ可読媒体のいくつかの例は、ルーティングテーブルに少なくとも部分的に基づいて、1つまたは複数のノード機能の間でデータを転送するためのプロセス、特徴、手段、または命令をさらに含み得る。
【００２０】
上記で説明した方法、装置、および非一時的コンピュータ可読媒体のいくつかの例は、1つまたは複数のノード機能に関連付けられたルーティング機能をインスタンス化するためのプロセス、特徴、手段、または命令をさらに含み得る。上記で説明した方法、装置、および非一時的コンピュータ可読媒体のいくつかの例は、ルーティング機能に従って、1つまたは複数のノード機能の間でデータを転送するためのプロセス、特徴、手段、または命令をさらに含み得る。
【００２１】
上記で説明した方法、装置、および非一時的コンピュータ可読媒体のいくつかの例では、1つまたは複数の通信リンクは、ワイヤレスノードと別のワイヤレスノードとの間の単一のリンクを備える。上記で説明した方法、装置、および非一時的コンピュータ可読媒体のいくつかの例では、ワイヤレスノードあるいは1つまたは複数の他のワイヤレスノードは、ネットワークのためのワイヤラインバックホールリンクと結合され得る。上記で説明した方法、装置、および非一時的コンピュータ可読媒体のいくつかの例では、1つまたは複数の通信リンクは、バックホールリンクを備える。上記で説明した方法、装置、および非一時的コンピュータ可読媒体のいくつかの例では、ワイヤレスノードおよび1つまたは複数の他のワイヤレスノードは、バックホールアクセスノードを備える。上記で説明した方法、装置、および非一時的コンピュータ可読媒体のいくつかの例では、RATは、ミリ波RATを備える。
【図面の簡単な説明】
【００２２】
【図１】本開示の態様による、無線アクセス技術を使用するワイヤレスネットワークにおけるシグナリングおよびリソース割振りの協調をサポートするワイヤレスノードにおけるワイヤレス通信のためのシステムの一例を示す図である。
【図２】本開示の態様による、無線アクセス技術を使用するワイヤレスネットワークにおけるシグナリングおよびリソース割振りの協調をサポートするバックホールネットワークの一例を示す図である。
【図３】本開示の態様による、無線アクセス技術を使用するワイヤレスネットワークにおけるシグナリングおよびリソース割振りの協調をサポートするバックホールネットワークの一例を示す図である。
【図４】本開示の態様による、無線アクセス技術を使用するワイヤレスネットワークにおけるシグナリングおよびリソース割振りの協調をサポートするシステムにおいて使用されるスケジュールの一例を示す図である。
【図５】本開示の態様による、無線アクセス技術を使用するワイヤレスネットワークにおけるシグナリングおよびリソース割振りの協調をサポートするシステムにおけるプロセスフローの一例を示す図である。
【図６】本開示の態様による、無線アクセス技術を使用するワイヤレスネットワークにおけるシグナリングおよびリソース割振りの協調をサポートするデバイスのブロック図である。
【図７】本開示の態様による、無線アクセス技術を使用するワイヤレスネットワークにおけるシグナリングおよびリソース割振りの協調をサポートするデバイスのブロック図である。
【図８】本開示の態様による、無線アクセス技術を使用するワイヤレスネットワークにおけるシグナリングおよびリソース割振りの協調をサポートするデバイスのブロック図である。
【図９】本開示の態様による、無線アクセス技術を使用するワイヤレスネットワークにおけるシグナリングおよびリソース割振りの協調をサポートするアクセスノードを含むシステムのブロック図である。
【図１０】本開示の態様による、無線アクセス技術を使用するワイヤレスネットワークにおけるシグナリングおよびリソース割振りの協調のための方法を示す図である。
【図１１】本開示の態様による、無線アクセス技術を使用するワイヤレスネットワークにおけるシグナリングおよびリソース割振りの協調のための方法を示す図である。
【図１２】本開示の態様による、無線アクセス技術を使用するワイヤレスネットワークにおけるシグナリングおよびリソース割振りの協調のための方法を示す図である。
【発明を実施するための形態】
【００２３】
いくつかのワイヤレス通信システムは、ミリ波(mmW)周波数範囲(たとえば、28GHz、40GHz、60GHzなど)内で動作し得る。そのようなmmWシステムでは、ビームフォーミングなどの信号処理技法は、エネルギーをコヒーレントに結合し、これらの周波数における経路損失を克服するために使用され得る。ビームフォーミングによって達成されたワイヤレス通信リンクは、指向性が高く、リンク間干渉を最小限に抑え、ワイヤレスノード(たとえば、基地局、アクセスノードなど)間の高帯域幅リンクを提供する狭ビーム(たとえば、「ペンシルビーム」)に関連付けられ得る。
【００２４】
ワイヤレス通信システムはまた、コアネットワークとワイヤレス通信ネットワーク内のアクセスノードとの間の接続としてバックホールリンクを利用する。しかしながら、所与の領域内でのアクセスノードの広範な展開により、ワイヤラインバックホールリンクをネットワーク内の各アクセスノードに設置することは法外なコストがかかる場合がある。したがって、セルラー無線アクセス技術(RAT)は、複数のアクセスノードとコアネットワークとの間のバックホールリンクを提供するために使用され得る。そのような場合、アクセスノードは、バックホールアクセストラフィックを大容量ファイバポイント(たとえば、ワイヤレスノードがネットワークへのワイヤラインリンクと結合されるロケーション)にワイヤレス通信し得る。ワイヤレスバックホールネットワークのためのシグナリングおよびリソース割振りを協調させるためにセルラー無線アクセス技術を使用するバックホール技法は、mmWアクセスノードの密集した集団のためのバックホール通信のより有益な方法を提供する(たとえば、光ファイバ通信回線を各mmWアクセスノードに設置するための、より低コストでより実現可能なオプションを提供する)ことができる。加えて、モバイルアクセスとバックホールの統合は、そのようなシステムにおいて実装され得る。
【００２５】
場合によっては、(ワイヤレスバックホールノードなどの)いくつかのアクセスノードは、相互接続され、したがって、スタートポロジーを形成し得る。そのような場合、アクセスノードは、シグナリングおよびリソース割振りを協調させるために、1つまたは複数のノード機能をインスタンス化し得る。アクセスノード機能(ANF)およびユーザ機器機能(UEF)などの1つまたは複数のノード機能は、通常はRATによって定義される、リソース割振りのための機能およびシグナリングプロトコルを割り当てられ得る。
【００２６】
送信および受信のタイミングを協調させるために、すべてのバックホールリンクが時間同期を使用して協調されてもよく、セルラーRATによってサポートされるフレーム構造が使用され得る。場合によっては、協調された方式でリソースを様々なアクセスノードに割り当てるために、大規模なまたはネットワーク規模の時分割多重(TDM)スケジュール(たとえば、スーパースケジュール)が使用され得る。RATによって定義され得る、相互時間同期およびフレーム構造によって、すべての参加しているワイヤレスノードがスケジュールに従い得る。ワイヤレスバックホールネットワークを参照して説明するが、本明細書で説明する概念は、非バックホールワイヤレスネットワークにも適用され得る。
【００２７】
本開示の態様について、最初にワイヤレス通信システムの文脈で説明する。次いで、バックホールネットワークと、複数のアクセスノード間の効率的なワイヤレスバックホール通信に使用されるスケジュールとを示す、さらなる例が提供される。本開示の態様について、無線アクセス技術を使用するワイヤレスバックホールネットワークにおけるシグナリングおよびリソース割振りの協調に関する装置の図、システムの図、およびフローチャートによってさらに示し、それらを参照して説明する。
【００２８】
図1は、本開示の様々な態様によるワイヤレス通信システム100の一例を示す。ワイヤレス通信システム100は、アクセスノード105など(たとえば、基地局、リモートラジオヘッドなど)のワイヤレスノード、ユーザ機器(UE)115、およびコアネットワーク130を含む。いくつかの例では、ワイヤレス通信システム100は、LTEまたはLTEアドバンストネットワークであり得る。ワイヤレス通信システム100は、コヒーレントなリソース割振りおよびスケジューリングを可能にする1つまたは複数のノード機能をサポートし得る。
【００２９】
アクセスノード105は、1つまたは複数のアクセスノードアンテナを介してUE115とワイヤレス通信し得る。各アクセスノード105は、それぞれの地理的カバレージエリア110に通信カバレージを提供し得る。ワイヤレス通信システム100中に示されている通信リンク125は、UE115からアクセスノード105へのアップリンク送信、またはアクセスノード105からUE115へのダウンリンク送信を含み得る。UE115はワイヤレス通信システム100全体にわたって分散されてもよく、各UE115は固定またはモバイルであってもよい。UE115はまた、移動局、加入者局、モバイルユニット、加入者ユニット、ワイヤレスユニット、リモートユニット、モバイルデバイス、ワイヤレスデバイス、ワイヤレス通信デバイス、リモートデバイス、モバイル加入者局、アクセス端末、モバイル端末、ワイヤレス端末、リモート端末、ハンドセット、ユーザエージェント、モバイルクライアント、クライアント、または何らかの他の適切な用語で呼ばれることがある。UE115はまた、セルラーフォン、携帯情報端末(PDA)、ワイヤレスモデム、ワイヤレス通信デバイス、ハンドヘルドデバイス、タブレットコンピュータ、ラップトップコンピュータ、コードレスフォン、パーソナル電子デバイス、ハンドヘルドデバイス、パーソナルコンピュータ、ワイヤレスローカルループ(WLL)局、モノのインターネット(IoT)デバイス、あらゆるモノのインターネット(IoE)デバイス、マシンタイプ通信(MTC)デバイス、アプライアンス、自動車などであり得る。
【００３０】
アクセスノード105は、コアネットワーク130および互いと通信し得る。たとえば、アクセスノード105は、バックホールリンク132(たとえば、S1など)を通してコアネットワーク130とインターフェースし得る。アクセスノード105は、直接または間接的に(たとえば、コアネットワーク130を通して)のいずれかで、バックホールリンク134(たとえば、X2など)を介して互いと通信し得る。アクセスノード105は、UE115との通信のための無線構成およびスケジューリングを実行し得るか、またはアクセスノードコントローラ(図示せず)の制御下で動作し得る。いくつかの例では、アクセスノード105は、マクロセル、スモールセル、ホットスポットなどであり得る。アクセスノード105はまた、eノードB(eNB)105と呼ばれることがある。
【００３１】
ワイヤレス通信システム100は、mmW周波数範囲(たとえば、28GHz、40GHz、60GHzなど)内で動作し得る。これらの周波数におけるワイヤレス通信は、信号減衰の増加(たとえば、温度、気圧、回折などの様々な要因に影響される場合もある経路損失)に関連付けられ得る。結果として、ビームフォーミングなどの信号処理技法は、エネルギーをコヒーレントに結合し、これらの周波数における経路損失を克服するために使用され得る。さらに、ビームフォーミングによって達成されたワイヤレス通信リンクは、指向性が高く、リンク間干渉を最小限に抑え、アクセスノード間の高帯域幅リンクを提供する狭ビーム(たとえば、「ペンシルビーム」)に関連付けられ得る。動的なビームステアリングおよびビーム探索機能は、動的シャドーイングおよびレイリーフェージングがある場合、たとえば、発見、リンク確立、ビームリファインメントをさらにサポートし得る。加えて、そのようなmmWシステムにおける通信は、時分割多重化されてもよく、送信は、送信された信号の指向性のせいで、一度に1つのワイヤレスデバイスのみに向けられ得る。
【００３２】
ワイヤレス通信ネットワークは、コアネットワークとワイヤレス通信ネットワーク内のワイヤレスノードとの間の接続として、バックホールリンク(たとえば、バックホールリンク132またはバックホールリンク134)を用い得る。たとえば、ワイヤレス通信システム100は、複数のアクセスノード105(たとえば、基地局、リモートラジオヘッドなど)を含み得、少なくとも1つのアクセスノード105は、光ファイバケーブルなどのワイヤラインバックホールリンクに結合される。しかしながら、所与の領域内でのアクセスノード105の広範な展開により、ワイヤラインバックホールリンクをネットワーク内の各アクセスノード105に設置することは法外なコストがかかる場合がある。したがって、ワイヤレス通信システム100内のアクセスノード105のうちのいくつかは、コアネットワーク130または別のアクセスノード105に直接結合されない場合があり、バックホールトラフィックを通信するために、ワイヤレスバックホールリンクなどの他の手段を使用し得る。たとえば、セルラーRATは、複数のアクセスノード105とコアネットワーク130との間のバックホールリンクを提供するために使用され得る。そのような場合、アクセスノード105は、バックホールアクセストラフィックを大容量ファイバポイント(たとえば、ワイヤレスノードがコアネットワーク130へのワイヤラインリンクと結合されるロケーション)にワイヤレス通信し得る。
【００３３】
モバイルアクセスは、時として、ソースと宛先との間のシングルホップ通信リンク(たとえば、非対称リンク)に関連付けられ得るが、ワイヤレスバックホール通信は、マルチホップトランスポートをサポートし、トポロジー冗長性(たとえば、ワイヤレス通信ネットワーク内のデータ交換のための代替経路)によってロバストネスを提供し得る。したがって、ワイヤレスバックホール通信を使用する基礎をなすリンクは、本質的に対称であり、ワイヤレス通信リンクの間で大規模なリソース協調を使用し得る。
【００３４】
場合によっては、mmWベースのRATなどのセルラーRATは、複数のアクセスノード105の間のバックホールアクセストラフィックに加えて、UE115とアクセスノード105との間のアクセストラフィックをサポートするために使用され得る。さらに、アクセスとバックホールの両方のトラフィックは、(たとえば、統合アクセスバックホール(IAB:integrated access and backhaul)の場合のように)同じリソースを共有し得る。そのようなワイヤレスバックホールソリューションまたはIABソリューションは、ワイヤレスリンク容量の向上およびレイテンシの低減によるセルラー技術の進化とともに、ますます有益になり得る。さらに、ワイヤレスバックホールリンクの使用は、密なスモールセル展開のコストを低減し得る。
【００３５】
場合によっては、mmWベースのRATを使用するアクセスリンクは、通信をスケジュールするために命令を1つまたは複数のUE115に与えながら、制御タスクおよびスケジューリングタスクをアクセスノード105に割り当てるために使用され得る、非対称シングルホップリンクとして設計され得る。そのような場合、アクセスノード105は、複数のUE115の間でワイヤレスリソースを協調させ得るが、各UE115は、一度に1つのみのアクセスノード105に割り当てられ得る。場合によっては、アクセスノード間リンクは、本質的に対称であってもよく、ロバストネス強化のためにメッシュトポロジーを形成する場合があり、ワイヤレストランスポートは、複数のホップに沿って行われ得る。
【００３６】
したがって、RATを使用することは、基地局またはアクセスノードなどのワイヤレスノードにおける1つまたは複数のノード機能を使用するワイヤレスバックホール通信を可能にし得る。加えて、複数のワイヤレスノードは、フレーム構造と整合されたスケジュールを使用して、バックホールネットワークにおいて通信し得る。たとえば、ワイヤレスノードは、mmW RATなどの、同期されたフレーム構造をサポートするRATを使用して、異なるワイヤレスノードとのリンクを確立し得る。ワイヤレスノードは、ANFおよびUEFなどの1つまたは複数のノード機能をインスタンス化し得る。次いで、ワイヤレスノードは、ノード機能を使用するアクティブモードおよび中断モードに従って通信し得、通信は、フレーム構造と整合されたスケジュールに基づく。
【００３７】
図2は、RATを使用するワイヤレスネットワークにおけるシグナリングおよびリソース割振りの協調をサポートするバックホールネットワーク200の一例を示す。場合によっては、バックホールネットワーク200は、mmW周波数範囲を使用して通信するワイヤレス通信ネットワークの一例であり得る。バックホールネットワーク200は、いくつかの異なる通信リンク225を介して通信するいくつかのアクセスノード105を含み得、通信リンク225は、ワイヤレスリソースの同じまたは異なるセットに関連付けられ得る。バックホールネットワーク200は、ワイヤレスバックホール通信のための効率的なリソース割振りを可能にするために、1つまたは複数のノード機能の使用をサポートし得る。
【００３８】
バックホールネットワーク200では、いくつかのアクセスノード105(たとえば、アクセスノード105-a〜105-d)は、通信リンク225(たとえば、バックホールリンク)を介して相互接続され、したがって、以下で説明するように、ANFとしてインスタンス化されたアクセスノード105に対して、スタートポロジーを形成し得る。そのような場合、アクセスノード105は、シグナリングおよびリソース割振りを協調させるために、1つまたは複数のノード機能をインスタンス化し得る。たとえば、アクセスノード105は、1つもしくは複数のANF205、1つもしくは複数のUEF210、またはそれらの任意の組合せをインスタンス化し得る。
【００３９】
たとえば、アクセスノード105-aは、スターの中心点に位置してもよく、ワイヤラインバックホールリンク230(すなわち、光ファイバケーブル)に接続されてもよい。場合によっては、アクセスノード105-aは、ワイヤラインバックホールリンク230に接続される、バックホールネットワーク200内の唯一のアクセスノード105であってもよい。アクセスノード105-aは、ANF205をインスタンス化し得、スターのリーフにおけるアクセスノード105(たとえば、アクセスノード105-b、アクセスノード105-c、およびアクセスノード105-d)は各々、UEF210をインスタンス化し得る。次いで、アクセスノード105-aは、ノード機能を使用するアクティブモードまたは中断モードに従って、通信リンク225-aまたは通信リンク225-bを使用してアクセスノード105-bおよびアクセスノード105-cと通信し得る。場合によっては、通信リンク225-aは、ワイヤレスリソースの第1のセットに関連付けられ得る。
【００４０】
ANF205およびUEF210は、RATによって定義されたリソース割振りのための同じ機能およびシグナリングプロトコルを割り当てられ得る。すなわち、バックホールスターのリソース協調は、mmW RATなどのRATを介して管理され得る。さらに、スター内のアクセスノード105の間でのワイヤレスリソース使用は、大規模な(たとえば、ネットワーク規模の)スケジュールを介して協調され得る。各スター内で、シグナリングおよびリソース管理はRATによって調整されてもよく、リソースサブスケジュールは(アクセスノード105-aにおいてインスタンス化されたANF205などの)スターのANF205によって生成されてもよい。
【００４１】
いくつかの例では、アクセスノード105-bは、UEF210に加えて、ANF205をインスタンス化し得る。アクセスノード105-bは、それに応じて、ノード機能を使用するアクティブモードまたは中断モードに従って、通信リンク225-bを使用してアクセスノード105-cと通信し得る。場合によっては、通信リンク225-bは、ワイヤレスリソースの第2のセットに関連付けられ得る。
【００４２】
別の例では、アクセスノード105-dは、ANF205をインスタンス化し、通信リンク225-cを介してアクセスノード105-aにおけるUEF210と通信し得る。いくつかの例では、通信リンク225-cは、リソースの第2のセットに関連付けられ得る。すなわち、通信リンク225-cは、通信リンク225-bと同じリソースを使用し得る。他の例では、通信リンク225-cは、通信リンク225-bとは異なるリソースを使用し得る。加えて、アクセスノード105-dにおけるANF205は、モバイルアクセスに使用されてもよく、アクセスノード105-dは、通信リンク225-dを介して1つまたは複数のUE115と通信し得る。結果として、アクセスノード105-dは、1つまたは複数のUE115とアクセスノード105-aとの間でデータを転送し得る。したがって、中心におけるアクセスノード105-dを有する追加のスターおよびスターのリーフにおけるUE115を含めることによって、IABが達成され得る。
【００４３】
場合によっては、ANF205は、DL制御チャネルの送信、UL制御チャネルの受信、リンクまたはリンクのセットに割り当てられたリソース空間内でのDLおよびULデータ送信のスケジューリング、(たとえば、同期チャネル上の1次同期シンボル(PSS)または2次同期シンボル(SSS)としての)同期信号およびセル基準信号の送信、ビーム掃引を送信すること、ならびにDLビーム変更要求を送信することをサポートし得る。加えて、UEF210は、DL制御チャネルの受信、UL制御チャネルの送信、ULデータ送信のスケジューリングを要求すること、ランダムアクセスチャネル上でのランダムアクセスプリアンブルの送信、ビーム掃引をリッスンし、検出されたビームインデックスおよびビーム信号強度を報告すること、ならびにDLビーム変更要求を実行することをサポートし得る。場合によっては、ノードにおいて実装されるANFおよびUEFを差別化する他の特徴があり得る。上記で説明したように、アクセスノード105は、複数のANF205、複数のUEF210、またはそれらの組合せなどの、1つまたは複数のノード機能の組合せを実装し得る。
【００４４】
図3は、RATを使用するネットワークにおけるシグナリングおよびリソース割振りの協調をサポートするバックホールネットワーク300の一例を示す。場合によっては、バックホールネットワーク300は、mmW周波数範囲を使用して通信するワイヤレス通信ネットワークの一例であり得る。バックホールネットワーク300は、いくつかの異なる通信リンク325を介して通信するいくつかのアクセスノード105を含み得、通信リンク325は、ワイヤレスリソースの同じまたは異なるセットに関連付けられ得る。バックホールネットワーク300は、RATを使用するバックホールリンクのための複数のホップおよびトポロジー冗長性をサポートするワイヤレス通信システムの一例であり得る。
【００４５】
いくつかの例では、複雑なバックホールトポロジーは、相互に重複する複数のスターからトポロジーを構成することによって対処され得る。たとえば、バックホールネットワーク300は、ワイヤラインネットワークへの2つのインターフェースを有するメッシュトポロジー(たとえば、ワイヤラインバックホールリンク330-aおよび330-bと結合されたアクセスノード105-eおよび105-g)を備え得る。そのようなトポロジーは複数のスターを備え得、いくつかのスターは相互に重複する。ANF305は、各スターの中心におけるアクセスノード105(たとえば、アクセスノード105-e、105-g、105-hなど)に割り振られ得るが、UEF310は、リーフの各々におけるアクセスノード105に割り振られ得る。結果として、アクセスノード105は、複数のANF305およびUEF310を含み得る。
【００４６】
たとえば、アクセスノード105-fは、UEF310の複数のインスタンスを含み得、UEF310は、アクセスノード105-e、105-g、および105-hにおけるANF305と通信し得る。加えて、アクセスノード105-gおよび105-hは各々、少なくとも1つのANF305および少なくとも1つのUEF310を使用して互いと通信し得、重複するスターを形成し得る。そのような場合、アクセスノード105-gおよびアクセスノード105-hは、バックホールネットワーク300にトポロジー冗長性を提供する通信リンク325-eおよび325-fを介して通信し得る。場合によっては、通信リンク325-eおよび325-fは、リソースの異なるセットに関連付けられ得、リソースは、ANF305によって確立されたスケジュールに従って協働的に割り振られる。複数のスターは、システム制約(たとえば、半二重通信、リンク間干渉など)を効率的に処理し得る、ワイヤレスリソースを協調させる技法を使用し得る。たとえば、リンク間干渉は、空間分割多元接続(SDMA)技法を使用して(たとえば、狭ビームの使用によって)管理され得、ノード間ビーム協調は、何らかの残りの干渉を考慮し得る。
【００４７】
追加または代替として、モバイルアクセスは、リーフにおいてUE115を有し、中心においてアクセスノード105を有する追加のスターによって、そのようなスタートポロジーに統合され得る。場合によっては、モバイルアクセスリンクも、既存のスターに追加され得る。一例では、アクセスノード105-iは、通信リンク325-gを使用してアクセスノード105-jと通信し得る。アクセスノード105はさらに、アクセスノード105-iに示されている通信リンク325-hを介して1つまたは複数のUE115と通信し得る。この例では、通信リンク325-gおよび325-hは両方とも、ワイヤレスリソースの同じセットを共有して、統合アクセスバックホールを実現する。図3でわかるように、様々なANF305とUEF310の組合せの範囲が、アクセスノード105においてインスタンス化され得る。アクセスノード105におけるUEF310インスタンスとANF305インスタンスの追加のまたは異なる組合せ、ならびに図3に示されていない異なるトポロジーが可能であり得る。
【００４８】
送信および受信のタイミングを協調させるために、すべてのリンクが時間同期を使用して協調されてもよく、セルラーRATによってサポートされるフレーム構造が使用され得る。たとえば、時間同期は、別のワイヤレスノードに関連付けられたタイミングパラメータの決定によって達成されてもよく、たとえば、別のワイヤレスノードは、同期信号送信タイミングの指示を送信し得る。いくつかの例では、異なるワイヤレスノードが複数のANF305および/またはUEF310を実装し得るので、ワイヤレスノード間のさらなる協調が使用され得る。
【００４９】
いくつかの例では、アクセスノード105は、複数のノード機能インスタンスを含み得、これらのインスタンスは、同じノード上に存在するノード機能の間でのデータの転送について決定を下すルーティング機能をさらに使用し得る。ルーティング機能は、たとえば、いくつかのプロトコルレイヤのうちのいずれか1つの上で実行されるかまたはインスタンス化されてもよい(たとえば、ルーティング機能は、インターネットプロトコル(IP)レイヤ上で実行されてもよい)。場合によっては、アクセスノード105は、ルーティングテーブルにアクセスしてもよく、ルーティングテーブルに基づいてノード機能の間でデータを転送してもよい。追加または代替として、ルーティング機能またはルーティングテーブルは、異なるアクセスノード105の間でデータを転送するために使用され得る。
【００５０】
いくつかの例では、協調された方式でリソースを様々なアクセスノード105に割り当てるために、大規模なまたはネットワーク規模の時分割多重(TDM)スケジュール(たとえば、スーパースケジュール)が使用され得る。たとえば、隣接するスター(たとえば、少なくとも1つのノードを共有するリーフを有する異なるスター)または重複するスター(たとえば、1つの共通のリーフを有するスター)は、異なるワイヤレスリソースを使用し得る。同時に、ばらばらのスター(たとえば、隣接も重複もしないスター)は、同じワイヤレスリソースを再利用し得る。RATによって定義され得る、相互時間同期およびフレーム構造によって、すべての参加しているアクセスノード105がスケジュールに従い得る。
【００５１】
図4は、RATを使用するネットワークにおけるシグナリングおよびリソース割振りの協調のためのシステムにおいて使用されるスケジュール400の一例を示す。スケジュール400は、メッシュトポロジーを形成する複数のアクセスノードのための時間多重化ワイヤレスリソースの一例を示し得る。たとえば、スケジュール400は、3つの異なるスターを形成する7つのアクセスノード105を備えるバックホールネットワーク401によって使用されるスケジュールを示し得る。
【００５２】
スケジュール400は、UL送信およびDL送信のための同期されたスロット付きフレーム構造に整合され得る。たとえば、フレーム構造405は、RAT(たとえば、mmW RAT)によってサポートされ、図2および図3を参照して説明したようなバックホールネットワーク200もしくはバックホールネットワーク300、またはバックホールネットワーク401などのバックホールネットワークにおけるシグナリングおよびリソース割振りを協調させるために使用され得る。フレーム構造405内で、フレームはタイムスロット410を占有してもよく、各フレームは、制御部分415(たとえば、それぞれ、フレームの始まりおよび終わりにおける、DL制御を含む部分およびUL制御を含む部分)と、データ部分420(たとえば、ULデータおよびDLデータの送信に使用される部分)とを含み得る。たとえば、各タイムスロット410は、第1のサブスロットにDL制御チャネルを、第2のサブスロットにDLまたはULデータチャネルを、第3のサブスロットにUL制御チャネルを含み得る。いくつかの例では、タイムスロット410は、フレームまたはサブフレームを表し得る。スケジュール400の例では、DLデータおよび制御はANF403からUEF404に送信され得、ULデータおよび制御はUEF404からANF403に送信され得る。
【００５３】
いくつかの例では、スケジュール400は、ネットワークトポロジー(たとえば、バックホールネットワーク401のトポロジー)に基づいてもよく、スケジュール400は、リソースを複数のグループ(たとえば、ANF403およびUEF404のためのそれぞれのグループ)に分割する。スケジュール400は、交互のタイムスロット410をこれらのリソースに割り当ててもよく、第1のタイムスロット410-aは、ワイヤレスリソースの第1のセットに関連付けられ、第2のタイムスロット410-bは、ワイヤレスリソースの第2のセットに関連付けられる。
【００５４】
バックホールネットワーク401内のアクセスノード105は、図2および図3を参照して説明したように、ANF403およびUEF404などの1つまたは複数のノード機能を使用して、1つまたは複数の他のアクセスノード105と通信し得る。したがって、通信は、通信リンク225-aを介して、ANF403を使用する第1のアクセスノード105と、UEF404を使用する1つまたは複数のアクセスノード105との間で行われ得る。同様に、ANF403を使用する第2のアクセスノード105および第3のアクセスノード105は、それぞれ、通信リンク425-bおよび425-cを介して、1つまたは複数の他のアクセスノード105と通信し得る。いくつかの例では、通信リンク425は、リソースのそれぞれのセットに関連付けられ得る。すなわち、通信リンク425-aおよび通信リンク425-cは、ワイヤレスリソースの第1のセットを使用し得、通信リンク425-bは、ワイヤレスリソースの第2のセットを使用し得る。
【００５５】
ノード機能は、スケジュール400に基づいて、アクティブモードおよび中断モードに従って動作し得る。すなわち、ノード機能は、リソーススケジュール430に従って、それぞれのタイムスロット410においてアクティブであり得るかまたは中断され得る。一例として、通信リンク425-aおよび425-cを使用する(かつリソースの同じセットを使用する)アクセスノード105は、それぞれ、リソーススケジュール430-aおよびリソーススケジュール430-cと通信し得る。そのような場合、アクセスノード105は、ANF403のアクティブモード435の間、第1のタイムスロット410-aにおける制御部分415およびデータ部分420を使用して通信し得、ANF403の中断モード440の間、第2のタイムスロット410-bにおいて送信するのを控え得る。さらに、通信リンク425-bを使用するアクセスノード105におけるANF403は、ANF403の中断モード445の間、第1のタイムスロット410-aにおいて通信するのを控え得るが、ANF403のアクティブモード450の間、第2のタイムスロット410-bにおいて、リソーススケジュール430-bに従って通信し得る。
【００５６】
場合によっては、ANF403は、ANF403が制御するUEF404間の通信のために、指定のタイムスロット410に対するあらゆるリソーススケジュール430を使用し得る。場合によっては、スケジュール400によって確立された各リソース割振り内で、各ANF403は、1つまたは複数のUEF404の間でリソースをスケジュールし得、アクセスノード105はさらに、複数のUE115(図示せず)の間でリソースをサブスケジュールし得る。いくつかの例では、スケジュールのための他のリソース割振り方式が可能であり得る。すなわち、あるワイヤレスリソースに、別のワイヤレスリソースに対するタイムスロット410よりも多くのタイムスロット410が割り振られてもよい。追加または代替として、ネットワークトポロジーに基づいて、より多数のリソースがスケジュールされてもよい。
【００５７】
図5は、RATを使用するワイヤレスネットワークにおけるシグナリングおよびリソース割振りの協調をサポートするシステムにおけるプロセスフロー500の一例を示す。プロセスフロー500は、アクセスノード105-k、アクセスノード105-l、およびアクセスノード105-mなどの複数のワイヤレスノードを含み得る。
【００５８】
ステップ505において、アクセスノード105-kおよびアクセスノード105-lは、UL送信およびDL送信のための同期されたスロット付きフレーム構造をサポートするRATを使用して、対応する1つまたは複数の他のワイヤレスノードとの1つまたは複数の通信リンクを確立し得る。したがって、アクセスノード105は、図2〜図4を参照して説明したように、スタートポロジーを形成し得る。場合によっては、1つまたは複数の通信リンクは、ワイヤレスノードと別のワイヤレスノードとの間の単一のリンクを備える(たとえば、アクセスノード105によって形成されるスターは、1つのみのリーフを有し得る)。いくつかの例では、アクセスノード105のうちの1つは、ネットワークのためのワイヤラインバックホールリンクと結合され、1つまたは複数の通信リンクは、バックホールリンクを備える。場合によっては、アクセスノード105-kおよびアクセスノード105-lは、バックホールアクセスノードを含む。加えて、RATは、mmW RATを含み得る。
【００５９】
ステップ510および515において、それぞれのアクセスノード105は、他のアクセスノード105におけるノード機能に少なくとも部分的に基づいて、1つまたは複数のノード機能をインスタンス化し得、1つまたは複数のノード機能は、ANFおよびUEFから選択される。たとえば、アクセスノード105-kはANFをインスタンス化し得、アクセスノード105-lはUEFをインスタンス化し得る。
【００６０】
ステップ520において、アクセスノード105-kおよびアクセスノード105-lは、1つまたは複数のノード機能を使用するアクティブモードまたは中断モードに従って通信し得る。いくつかの例では、アクセスノード105は、スケジュールに少なくとも部分的に基づいて、1つまたは複数のノード機能の各々のために指定されたアクティブモードと中断モードとの間で切り替え得、スケジュールは、スロット付きフレーム構造と整合される。
【００６１】
いくつかの例では、アクセスノード105-kは、ANFをインスタンス化し、アクティブモード中に、1つまたは複数の通信リンクを介してデータトラフィックをスケジュールし得る。追加または代替として、アクセスノード105-kは、1つまたは複数の通信リンク上でDLデータを送信し、1つまたは複数の通信リンク上でULデータを受信し得る。場合によっては、アクセスノード105-kは、ANFをインスタンス化し、1つまたは複数のUE115と通信し、通信に少なくとも部分的に基づいて、1つまたは複数のUE115と1つまたは複数の他のワイヤレスノードとの間でデータを転送し得る。いくつかの例では、1つまたは複数のUE115と通信することおよび1つまたは複数のノード機能を使用して通信することは、ワイヤレスリソースの同じセットを共有する。
【００６２】
いくつかの例では、アクセスノード105-lがUEFをインスタンス化するとき、アクセスノード105-lは、アクティブモード中に、1つまたは複数の通信リンクを介してデータトラフィックのためのスケジューリング命令(たとえば、アクセスノード105-kにおけるANFインスタンスから受信されたスケジューリング命令)に従い得る。追加または代替として、アクセスノード105-lは、1つまたは複数の通信リンク上でULデータを送信し、1つまたは複数の通信リンク上でDLデータを受信し得る。
【００６３】
ステップ525において、アクセスノード105-lはさらに、RATを使用して、アクセスノード105-mとの1つまたは複数の追加の通信リンクを確立し得る。次いで、アクセスノード105-lおよびアクセスノード105-mは、それぞれ、ステップ530および535において、他のアクセスノード105におけるノード機能に少なくとも部分的に基づいて、1つまたは複数のノード機能をインスタンス化し得る。いくつかの例では、アクセスノード105-lは、アクセスノード105-mと通信するために少なくとも1つのUEFをインスタンス化し、アクセスノード105-mと通信するために少なくとも1つのANFをインスタンス化し得る。追加または代替として、アクセスノード105-lは、アクセスノード105-kと通信するために少なくとも第1のUEFをインスタンス化し、アクセスノード105-mと通信するために少なくとも第2のUEFをインスタンス化し得る。場合によっては、アクセスノード105-lは、アクセスノード105-kまたはアクセスノード105-mがANFとしてインスタンス化されているかまたはインスタンス化されることになることを確認すると、UEFをインスタンス化し得る。ステップ540において、アクセスノード105-lおよびアクセスノード105-mは、1つまたは複数のノード機能を使用するアクティブモードまたは中断モードに従って通信し得る。いくつかの例では、アクセスノード105は、スケジュールに少なくとも部分的に基づいて、1つまたは複数のノード機能の各々のために指定されたアクティブモードと中断モードとの間で切り替え得、スケジュールは、スロット付きフレーム構造と整合される。
【００６４】
いくつかの例では、アクセスノード105は、1つまたは複数の他のアクセスノード105に関連付けられたルーティングテーブルにアクセスし、ルーティングテーブルに少なくとも部分的に基づいて、アクセスノード105と1つまたは複数の他のアクセスノードとの間でデータを転送し得る。場合によっては、アクセスノード105は、1つまたは複数の他のアクセスノード105に関連付けられたルーティング機能をインスタンス化し、ルーティング機能に従って、ワイヤレスノードと1つまたは複数の他のアクセスノード105との間でデータを転送し得る。
【００６５】
追加または代替として、アクセスノード105は、1つまたは複数のノード機能に関連付けられたルーティングテーブルにアクセスし、ルーティングテーブルに少なくとも部分的に基づいて、アクセスノード105と1つまたは複数の他のアクセスノードとの間でデータを転送し得る。場合によっては、アクセスノード105は、1つまたは複数のノード機能に関連付けられたルーティング機能をインスタンス化し、ルーティング機能に従って、1つまたは複数のノード機能の間でデータを転送し得る。
【００６６】
図6は、本開示の様々な態様による、RATを使用するワイヤレスネットワークにおけるシグナリングおよびリソース割振りの協調をサポートするワイヤレスデバイス605のブロック図600を示す。ワイヤレスデバイス605は、図1を参照して説明したようなアクセスノード105または基地局の態様の一例であり得る。ワイヤレスデバイス605は、受信機610、通信マネージャ615、および送信機620を含み得る。ワイヤレスデバイス605はまた、プロセッサを含み得る。これらの構成要素の各々は、(たとえば、1つまたは複数のバスを介して)互いと通信している場合がある。
【００６７】
受信機610は、パケット、ユーザデータ、または様々な情報チャネル(たとえば、制御チャネル、データチャネルなど)に関連付けられた制御情報、ならびにRATを使用するワイヤレスバックホールネットワークにおけるシグナリングおよびリソース割振りの協調に関する情報などの情報を受信し得る。情報は、デバイスの他の構成要素に渡され得る。受信機610は、図9を参照して説明するトランシーバ935の態様の一例であり得る。場合によっては、受信機610は、1つまたは複数の通信リンク上でULデータを受信し、1つまたは複数の通信リンク上でDLデータを受信し得る。
【００６８】
通信マネージャ615は、図9を参照して説明する通信マネージャ915の態様の一例であり得る。場合によっては、通信マネージャ615は、UL送信およびDL送信のための同期されたスロット付きフレーム構造をサポートするRATを使用して、対応する1つまたは複数の他のワイヤレスノードとの1つまたは複数の通信リンクを確立することと、ワイヤレスノードにおいて、1つまたは複数の他のワイヤレスノードにおけるノード機能に基づいて、1つまたは複数のノード機能をインスタンス化することであって、1つまたは複数のノード機能は、ANFおよびUEFから選択される、インスタンス化することと、1つまたは複数のノード機能を使用するアクティブモードまたは中断モードに従って、1つまたは複数の他のワイヤレスノードと通信することとを行い得る。
【００６９】
送信機620は、デバイスの他の構成要素によって生成された信号を送信し得る。いくつかの例では、送信機620は、トランシーバモジュールにおいて受信機610とコロケートされ得る。たとえば、送信機620は、図9を参照して説明するトランシーバ935の態様の一例であり得る。送信機620は、単一のアンテナを含み得るか、またはアンテナのセットを含み得る。いくつかの例では、送信機620は、1つまたは複数の通信リンク上でDLデータを送信し、1つまたは複数の通信リンク上でULデータを送信し得る。
【００７０】
図7は、本開示の様々な態様による、RATを使用するワイヤレスネットワークにおけるシグナリングおよびリソース割振りの協調をサポートするワイヤレスデバイス705のブロック図700を示す。ワイヤレスデバイス705は、図1および図6を参照して説明したようなワイヤレスデバイス605、アクセスノード105、または基地局の態様の一例であり得る。ワイヤレスデバイス705は、受信機710、通信マネージャ715、および送信機720を含み得る。ワイヤレスデバイス705はまた、プロセッサを含み得る。これらの構成要素の各々は、(たとえば、1つまたは複数のバスを介して)互いと通信している場合がある。
【００７１】
受信機710は、パケット、ユーザデータ、または様々な情報チャネル(たとえば、制御チャネル、データチャネルなど)に関連付けられた制御情報、ならびにRATを使用するワイヤレスバックホールネットワークにおけるシグナリングおよびリソース割振りの協調に関する情報などの情報を受信し得る。情報は、デバイスの他の構成要素に渡され得る。受信機710は、図9を参照して説明するトランシーバ935の態様の一例であり得る。
【００７２】
通信マネージャ715は、図9を参照して説明する通信マネージャ915の態様の一例であり得る。通信マネージャ715はまた、通信リンクマネージャ725、ノード機能マネージャ730、およびアクセスノードデータマネージャ735を含み得る。通信リンクマネージャ725は、UL送信およびDL送信のための同期されたスロット付きフレーム構造をサポートするRATを使用して、対応する1つまたは複数の他のワイヤレスノードとの1つまたは複数の通信リンクを確立し得る。場合によっては、1つまたは複数の通信リンクは、ワイヤレスノードと別のワイヤレスノードとの間の単一のリンクを含む。場合によっては、ワイヤレスノードあるいは1つまたは複数の他のワイヤレスノードは、ネットワークのためのワイヤラインバックホールリンクと結合される。場合によっては、1つまたは複数の通信リンクは、バックホールリンクを含む。場合によっては、ワイヤレスノードおよび1つまたは複数の他のワイヤレスノードは、バックホールアクセスノードを含む。場合によっては、RATは、ミリ波RATを含む。
【００７３】
ノード機能マネージャ730は、ワイヤレスノードにおいて、1つまたは複数の他のワイヤレスノードにおけるノード機能に基づいて、1つまたは複数のノード機能をインスタンス化することであって、1つまたは複数のノード機能は、ANFおよびUEFから選択される、インスタンス化することと、1つまたは複数の他のワイヤレスノードがANFとしてインスタンス化されているかまたはインスタンス化されることになることを確認すると、UEFをインスタンス化することと、第1のワイヤレスノードと通信するために少なくとも1つのANFをインスタンス化することと、1つまたは複数の他のワイヤレスノードのうちの第1のワイヤレスノードと通信するために少なくとも第1のUEFをインスタンス化することとを行い得る。場合によっては、ノード機能マネージャ730は、1つまたは複数の他のワイヤレスノードのうちの第2のワイヤレスノードと通信するために少なくとも第2のUEFをインスタンス化し得、第1のワイヤレスノードは、第2のワイヤレスノードとは異なる。他の例では、ノード機能マネージャ730は、1つまたは複数の他のワイヤレスノードがUEFとしてインスタンス化されているかまたはインスタンス化されることになることを確認すると、ANFをインスタンス化し得、場合によっては、1つまたは複数の他のワイヤレスノードのうちの第1のワイヤレスノードと通信するために少なくとも1つのUEFをインスタンス化し得る。
【００７４】
アクセスノードデータマネージャ735は、1つまたは複数のノード機能を使用するアクティブモードまたは中断モードに従って、1つまたは複数の他のワイヤレスノードと通信し、スケジュールに少なくとも部分的に基づいて、1つまたは複数のノード機能の各々のために指定されたアクティブモードと中断モードとの間で切り替え得、スケジュールは、スロット付きフレーム構造と整合される。
【００７５】
送信機720は、デバイスの他の構成要素によって生成された信号を送信し得る。いくつかの例では、送信機720は、トランシーバモジュールにおいて受信機710とコロケートされ得る。たとえば、送信機720は、図9を参照して説明するトランシーバ935の態様の一例であり得る。送信機720は、単一のアンテナを含み得るか、またはアンテナのセットを含み得る。
【００７６】
図8は、本開示の様々な態様による、RATを使用するワイヤレスネットワークにおけるシグナリングおよびリソース割振りの協調をサポートする通信マネージャ815のブロック図800を示す。通信マネージャ815は、図6、図7、および図9を参照して説明する通信マネージャ615、通信マネージャ715、または通信マネージャ915の態様の一例であり得る。通信マネージャ815は、通信リンクマネージャ820、ノード機能マネージャ825、アクセスノードデータマネージャ830、トラフィックマネージャ835、UEデータマネージャ840、およびルーティングマネージャ845を含み得る。これらのモジュールの各々は、直接または間接的に(たとえば、1つまたは複数のバスを介して)互いと通信し得る。
【００７７】
通信リンクマネージャ820は、UL送信およびDL送信のための同期されたスロット付きフレーム構造をサポートするRATを使用して、対応する1つまたは複数の他のワイヤレスノードとの1つまたは複数の通信リンクを確立し得る。場合によっては、1つまたは複数の通信リンクは、ワイヤレスノードと別のワイヤレスノードとの間の単一のリンクを含む。場合によっては、ワイヤレスノードあるいは1つまたは複数の他のワイヤレスノードは、ネットワークのためのワイヤラインバックホールリンクと結合される。場合によっては、1つまたは複数の通信リンクは、バックホールリンクを含む。場合によっては、ワイヤレスノードおよび1つまたは複数の他のワイヤレスノードは、バックホールアクセスノードを含む。場合によっては、RATは、ミリ波RATを含む。
【００７８】
ノード機能マネージャ825は、ワイヤレスノードにおいて、1つまたは複数の他のワイヤレスノードにおけるノード機能に基づいて、1つまたは複数のノード機能をインスタンス化することであって、1つまたは複数のノード機能は、ANFおよびUEFから選択される、インスタンス化することと、1つまたは複数の他のワイヤレスノードがANFとしてインスタンス化されているかまたはインスタンス化されることになることを確認すると、UEFをインスタンス化することと、第1のワイヤレスノードと通信するために少なくとも1つのANFをインスタンス化することと、1つまたは複数の他のワイヤレスノードのうちの第1のワイヤレスノードと通信するために少なくとも第1のUEFをインスタンス化することとを行い得る。場合によっては、ノード機能マネージャ825は、1つまたは複数の他のワイヤレスノードのうちの第2のワイヤレスノードと通信するために少なくとも第2のUEFをインスタンス化し得、第1のワイヤレスノードは、第2のワイヤレスノードとは異なる。他の例では、ノード機能マネージャ825は、1つまたは複数の他のワイヤレスノードがUEFとしてインスタンス化されているかまたはインスタンス化されることになることを確認すると、ANFをインスタンス化し得、場合によっては、1つまたは複数の他のワイヤレスノードのうちの第1のワイヤレスノードと通信するために少なくとも1つのUEFをインスタンス化し得る。
【００７９】
アクセスノードデータマネージャ830は、1つまたは複数のノード機能を使用するアクティブモードまたは中断モードに従って、1つまたは複数の他のワイヤレスノードと通信し、スケジュールに少なくとも部分的に基づいて、1つまたは複数のノード機能の各々のために指定されたアクティブモードと中断モードとの間で切り替え得、スケジュールは、スロット付きフレーム構造と整合される。
【００８０】
トラフィックマネージャ835は、アクティブモード中に、1つまたは複数の通信リンクを介してデータトラフィックをスケジュールし、アクティブモード中に、1つまたは複数の通信リンクを介してデータトラフィックのためのスケジューリング命令に従い、通信に基づいて、1つまたは複数のUEと1つまたは複数の他のワイヤレスノードとの間でデータを転送し得る。いくつかの例では、トラフィックマネージャ835は、ルーティングテーブルに基づいて、ワイヤレスノードと1つまたは複数の他のワイヤレスノードとの間でデータを転送し、ルーティング機能に従って、ワイヤレスノードと1つまたは複数の他のワイヤレスノードとの間でデータを転送し得る。追加または代替として、トラフィックマネージャ835は、ルーティングテーブルに基づいて、1つまたは複数のノード機能の間でデータを転送し、ルーティング機能に従って、1つまたは複数のノード機能の間でデータを転送し得る。UEデータマネージャ840は、1つまたは複数のUEと通信し得る。場合によっては、1つまたは複数のUEと通信することおよび1つまたは複数のノード機能を使用して通信することは、ワイヤレスリソースの同じセットを共有する。
【００８１】
ルーティングマネージャ845は、1つまたは複数の他のワイヤレスノードに関連付けられたルーティングテーブルにアクセスし、1つまたは複数の他のワイヤレスノードに関連付けられたルーティング機能をインスタンス化し、1つまたは複数のノード機能に関連付けられたルーティングテーブルにアクセスし、1つまたは複数のノード機能に関連付けられたルーティング機能をインスタンス化し得る。
【００８２】
図9は、本開示の様々な態様による、RATを使用するワイヤレスネットワークにおけるシグナリングおよびリソース割振りの協調をサポートするデバイス905を含むシステム900の図を示す。デバイス905は、(たとえば、図1、図6および図7を参照して)上記で説明したようなワイヤレスデバイス605、ワイヤレスデバイス705、基地局、またはアクセスノード105の構成要素の一例であり得るか、またはそれらの構成要素を含み得る。デバイス905は、通信を送信および受信するための構成要素を含む、双方向音声およびデータ通信のための構成要素を含んでもよく、これらの構成要素は、通信マネージャ915、プロセッサ920、メモリ925、ソフトウェア930、トランシーバ935、およびI/Oコントローラ940を含む。これらの構成要素は、1つまたは複数のバス(たとえば、バス910)を介して電子通信していてもよい。
【００８３】
プロセッサ920は、インテリジェントハードウェアデバイス(たとえば、汎用プロセッサ、デジタル信号プロセッサ(DSP)、中央処理ユニット(CPU)、マイクロコントローラ、特定用途向け集積回路(ASIC)、フィールドプログラマブルゲートアレイ(FPGA)、プログラマブル論理デバイス、個別ゲートもしくはトランジスタ論理構成要素、個別ハードウェア構成要素、またはそれらの任意の組合せ)を含み得る。場合によっては、プロセッサ920は、メモリコントローラを使用してメモリアレイを動作させるように構成され得る。他の場合には、メモリコントローラは、プロセッサ920に統合され得る。プロセッサ920は、様々な機能(たとえば、RATを使用するワイヤレスバックホールネットワークにおけるシグナリングおよびリソース割振りの協調をサポートする機能またはタスク)を実行するために、メモリに記憶されたコンピュータ可読命令を実行するように構成され得る。
【００８４】
メモリ925は、ランダムアクセスメモリ(RAM)および読取り専用メモリ(ROM)を含み得る。メモリ925は、実行されると、本明細書で説明する様々な機能をプロセッサに実行させる命令を含む、コンピュータ可読、コンピュータ実行可能ソフトウェア930を記憶し得る。場合によっては、メモリ925は、とりわけ、周辺構成要素またはデバイスとの相互作用などの基本的なハードウェア動作および/またはソフトウェア動作を制御し得る基本入出力システム(BIOS)を含み得る。
【００８５】
ソフトウェア930は、RATを使用するワイヤレスバックホールネットワークにおけるシグナリングおよびリソース割振りの協調をサポートするためのコードを含む、本開示の態様を実装するためのコードを含み得る。ソフトウェア930は、システムメモリまたは他のメモリなどの非一時的コンピュータ可読媒体に記憶され得る。場合によっては、ソフトウェア930は、プロセッサによって直接実行可能ではないことがあるが、(たとえば、コンパイルされ、実行されると)本明細書で説明する機能をコンピュータに実行させ得る。
【００８６】
トランシーバ935は、上記で説明したように、1つまたは複数のアンテナ、ワイヤードリンク、またはワイヤレスリンクを介して双方向に通信し得る。たとえば、トランシーバ935は、ワイヤレストランシーバを表し得、別のワイヤレストランシーバと双方向に通信し得る。トランシーバ935はまた、パケットを変調し、変調されたパケットを送信のためにアンテナに与え、アンテナから受信されたパケットを復調するためのモデムを含み得る。
【００８７】
I/Oコントローラ940は、デバイス905に対する入力信号および出力信号を管理し得る。I/Oコントローラ940はまた、デバイス905に統合されていない周辺機器を管理し得る。場合によっては、I/Oコントローラ940は、外部周辺機器への物理接続またはポートを表し得る。場合によっては、I/Oコントローラ940は、iOS(登録商標)、ANDROID(登録商標)、MS-DOS(登録商標)、MS-WINDOWS(登録商標)、OS/2(登録商標)、UNIX(登録商標)、LINUX(登録商標)、または別の知られているオペレーティングシステムなどのオペレーティングシステムを利用し得る。
【００８８】
図10は、本開示の様々な態様による、RATを使用するワイヤレスネットワークにおけるシグナリングおよびリソース割振りの協調のための方法1000を示すフローチャートを示す。方法1000の動作は、本明細書で説明するように、アクセスノード105またはその構成要素によって実装され得る。たとえば、方法1000の動作は、図6〜図9を参照して説明したように、通信マネージャによって実行され得る。いくつかの例では、アクセスノード105は、以下で説明する機能を実行するようにデバイスの機能要素を制御するためのコードのセットを実行し得る。追加または代替として、アクセスノード105は、専用ハードウェアを使用して、以下で説明する機能の態様を実行し得る。
【００８９】
ブロック1005において、アクセスノード105は、UL送信およびDL送信のための同期されたスロット付きフレーム構造をサポートするRATを使用して、対応する1つまたは複数の他のワイヤレスノードとの1つまたは複数の通信リンクを確立し得る。ブロック1005の動作は、図1〜図5を参照して説明した方法に従って実行され得る。いくつかの例では、ブロック1005の動作の態様は、図6〜図9を参照して説明したように、通信リンクマネージャによって実行され得る。
【００９０】
ブロック1010において、アクセスノード105は、ワイヤレスノードにおいて、1つまたは複数の他のワイヤレスノードにおけるノード機能に少なくとも部分的に基づいて、1つまたは複数のノード機能をインスタンス化し得、1つまたは複数のノード機能は、ANFおよびUEFから選択される。ブロック1010の動作は、図1〜図5を参照して説明した方法に従って実行され得る。いくつかの例では、ブロック1010の動作の態様は、図6〜図9を参照して説明したように、ノード機能マネージャによって実行され得る。
【００９１】
ブロック1015において、アクセスノード105は、1つまたは複数のノード機能を使用するアクティブモードまたは中断モードに従って、1つまたは複数の他のワイヤレスノードと通信し得る。ブロック1015の動作は、図1〜図5を参照して説明した方法に従って実行され得る。いくつかの例では、ブロック1015の動作の態様は、図6〜図9を参照して説明したように、アクセスノードデータマネージャによって実行され得る。
【００９２】
図11は、本開示の様々な態様による、RATを使用するワイヤレスネットワークにおけるシグナリングおよびリソース割振りの協調のための方法1100を示すフローチャートを示す。方法1100の動作は、本明細書で説明するように、アクセスノード105またはその構成要素によって実装され得る。たとえば、方法1100の動作は、図6〜図9を参照して説明したように、通信マネージャによって実行され得る。いくつかの例では、アクセスノード105は、以下で説明する機能を実行するようにデバイスの機能要素を制御するためのコードのセットを実行し得る。追加または代替として、アクセスノード105は、専用ハードウェアを使用して、以下で説明する機能の態様を実行し得る。
【００９３】
ブロック1105において、アクセスノード105は、UL送信およびDL送信のための同期されたスロット付きフレーム構造をサポートするRATを使用して、対応する1つまたは複数の他のワイヤレスノードとの1つまたは複数の通信リンクを確立し得る。ブロック1105の動作は、図1〜図5を参照して説明した方法に従って実行され得る。いくつかの例では、ブロック1105の動作の態様は、図6〜図9を参照して説明したように、通信リンクマネージャによって実行され得る。
【００９４】
ブロック1110において、アクセスノード105は、1つまたは複数の他のワイヤレスノードにおけるノード機能に少なくとも部分的に基づいて、ANFをインスタンス化し得る。ブロック1110の動作は、図1〜図5を参照して説明した方法に従って実行され得る。いくつかの例では、ブロック1110の動作の態様は、図6〜図9を参照して説明したように、ノード機能マネージャによって実行され得る。
【００９５】
ブロック1115において、アクセスノード105は、アクティブモード中に、1つまたは複数の通信リンクを介してデータトラフィックをスケジュールし得る。ブロック1115の動作は、図1〜図5を参照して説明した方法に従って実行され得る。いくつかの例では、ブロック1115の動作の態様は、図6〜図9を参照して説明したように、トラフィックマネージャによって実行され得る。
【００９６】
ブロック1120において、アクセスノード105は、ANFを使用するアクティブモードまたは中断モードに従って、1つまたは複数の通信リンク上でDLデータを送信し得る。たとえば、アクセスノード105は、スケジュールに従ってアクティブモードと中断モードとの間でANFを切り替え得、スケジュールは、図4を参照して説明したように、スロット付きフレーム構造と整合される。ブロック1120の動作は、図1〜図5を参照して説明した方法に従って実行され得る。いくつかの例では、ブロック1120の動作の態様は、図6〜図9を参照して説明したように、送信機によって実行され得る。
【００９７】
ブロック1125において、アクセスノード105は、ANFを使用するアクティブモードまたは中断モードに従って、1つまたは複数の通信リンク上でULデータを受信し得る。たとえば、アクセスノード105は、図4を参照して説明したように、スケジュールに従って1つまたは複数の他のワイヤレスノードからULデータを受信し得る。ブロック1125の動作は、図1〜図5を参照して説明した方法に従って実行され得る。いくつかの例では、ブロック1125の動作の態様は、図6〜図9を参照して説明したように、受信機によって実行され得る。
【００９８】
ブロック1130において、アクセスノード105は、任意選択で、1つまたは複数のUE115と通信し得る。場合によっては、アクセスノード105は、いくつかのUE115のためのモバイルアクセスを管理し得、アクセスノード105は、UE115の間でリソースを割り振る。場合によっては、UE115と通信するために使用されるリソースは、(UEFなどの)1つまたは複数のノード機能と通信するための同じリソースを含み得る。ブロック1150の動作は、図1〜図5を参照して説明した方法に従って実行され得る。いくつかの例では、ブロック1150の動作の態様は、図6〜図9を参照して説明したように、UE通信マネージャによって実行され得る。
【００９９】
ブロック1135において、アクセスノード105は、任意選択で、通信に少なくとも部分的に基づいて、1つまたは複数のUE115と1つまたは複数の他のワイヤレスノードとの間でデータを転送し得る。ブロック1135の動作は、図1〜図5を参照して説明した方法に従って実行され得る。いくつかの例では、ブロック1135の動作の態様は、図6〜図9を参照して説明したように、トラフィックマネージャによって実行され得る。
【０１００】
図12は、本開示の様々な態様による、RATを使用するワイヤレスネットワークにおけるシグナリングおよびリソース割振りの協調のための方法1200を示すフローチャートを示す。方法1200の動作は、本明細書で説明するように、アクセスノード105またはその構成要素によって実装され得る。たとえば、方法1200の動作は、図6〜図9を参照して説明したように、通信マネージャによって実行され得る。いくつかの例では、アクセスノード105は、以下で説明する機能を実行するようにデバイスの機能要素を制御するためのコードのセットを実行し得る。追加または代替として、アクセスノード105は、専用ハードウェアを使用して、以下で説明する機能の態様を実行し得る。
【０１０１】
ブロック1205において、アクセスノード105は、UL送信およびDL送信のための同期されたスロット付きフレーム構造をサポートするRATを使用して、対応する1つまたは複数の他のワイヤレスノードとの1つまたは複数の通信リンクを確立し得る。ブロック1205の動作は、図1〜図5を参照して説明した方法に従って実行され得る。いくつかの例では、ブロック1205の動作の態様は、図6〜図9を参照して説明したように、通信リンクマネージャによって実行され得る。
【０１０２】
ブロック1210において、アクセスノード105は、1つまたは複数の他のワイヤレスノードにおけるノード機能に基づいて、UEFをインスタンス化し得る。ブロック1210の動作は、図1〜図5を参照して説明した方法に従って実行され得る。いくつかの例では、ブロック1210の動作の態様は、図6〜図9を参照して説明したように、ノード機能マネージャによって実行され得る。
【０１０３】
ブロック1215において、アクセスノード105は、アクティブモード中に、1つまたは複数の通信リンクを介してデータトラフィックのためのスケジューリング命令に従い得る。たとえば、アクセスノード105は、同期されたスケジュールに基づいてシグナリングの協調を提供する別のワイヤレスノード105から受信されたスケジューリング命令に従い得る。ブロック1215の動作は、図1〜図5を参照して説明した方法に従って実行され得る。いくつかの例では、ブロック1215の動作の態様は、図6〜図9を参照して説明したように、トラフィックマネージャによって実行され得る。
【０１０４】
ブロック1220において、アクセスノード105は、UEFを使用するアクティブモードまたは中断モードに従って、1つまたは複数の通信リンク上でULデータを送信し得る。たとえば、アクセスノード105は、スケジュールに従ってアクティブモードと中断モードとの間でUEFを切り替え得、スケジュールは、図4を参照して説明したように、スロット付きフレーム構造と整合される。ブロック1220の動作は、図1〜図5を参照して説明した方法に従って実行され得る。いくつかの例では、ブロック1220の動作の態様は、図6〜図9を参照して説明したように、送信機によって実行され得る。
【０１０５】
ブロック1225において、アクセスノード105は、UEFを使用するアクティブモードまたは中断モードに従って、1つまたは複数の通信リンク上でDLデータを受信し得る。たとえば、アクセスノード105は、図4を参照して説明したように、スケジュールに従って1つまたは複数の他のワイヤレスノードからDLデータを受信し得る。ブロック1225の動作は、図1〜図5を参照して説明した方法に従って実行され得る。いくつかの例では、ブロック1225の動作の態様は、図6〜図9を参照して説明したように、受信機によって実行され得る。
【０１０６】
いくつかの例では、図10、図11、または図12を参照して説明した方法1000、1100、または1200のうちの2つ以上からの態様が組み合わされ得る。方法1000、1100、および1200は例示的な実装形態にすぎず、方法1000、1100、または1200の動作は、他の実装形態が可能であるように並べ替えられるか、または場合によっては修正される場合があることに留意されたい。
【０１０７】
本明細書で説明する技法は、符号分割多元接続(CDMA)、時分割多元接続(TDMA)、周波数分割多元接続(FDMA)、直交周波数分割多元接続(OFDMA)、シングルキャリア周波数分割多元接続(SC-FDMA)、および他のシステムなどの様々なワイヤレス通信システムに使用され得る。「システム」および「ネットワーク」という用語は、しばしば互換的に使用される。符号分割多元接続(CDMA)システムは、CDMA2000、ユニバーサル地上波無線アクセス(UTRA)などの無線技術を実装し得る。CDMA2000は、IS-2000規格、IS-95規格、およびIS-856規格をカバーする。IS-2000リリースは、一般に、CDMA2000 1X、1Xなどと呼ばれることがある。IS-856(TIA-856)は、一般に、CDMA2000 1xEV-DO、高速パケットデータ(HRPD)などと呼ばれる。UTRAは、広帯域CDMA(WCDMA(登録商標))およびCDMAの他の変形態を含む。時分割多元接続(TDMA)システムは、モバイル通信用グローバルシステム(GSM(登録商標))などの無線技術を実装し得る。
【０１０８】
直交周波数分割多元接続(OFDMA)システムは、ウルトラモバイルブロードバンド(UMB)、発展型UTRA(E-UTRA)、米国電気電子技術者協会(IEEE)802.11(Wi-Fi)、IEEE802.16(WiMAX)、IEEE802.20、Flash-OFDMなどの無線技術を実装し得る。UTRAおよびE-UTRAは、ユニバーサルモバイルテレコミュニケーションズシステム(UMTS)の一部である。3GPPロングタームエボリューション(LTE)およびLTEアドバンスト(LTE-A)は、E-UTRAを使用するユニバーサルモバイルテレコミュニケーションズシステム(UMTS)の新しいリリースである。UTRA、E-UTRA、UMTS、LTE、LTE-A、およびモバイル通信用グローバルシステム(GSM(登録商標))は、「第3世代パートナーシッププロジェクト」(3GPP)と称する組織の文書に記載されている。CDMA2000およびUMBは、「第3世代パートナーシッププロジェクト2」(3GPP2)と称する組織の文書に記載されている。本明細書で説明する技法は、上述のシステムおよび無線技術、ならびに他のシステムおよび無線技術に使用され得る。例としてLTEシステムの態様について説明する場合があり、説明の大部分においてLTE用語が使用される場合があるが、本明細書で説明する技法は、LTE適用例以外に適用可能である。
【０１０９】
本明細書で説明するそのようなネットワークを含むLTE/LTE-Aネットワークでは、発展型ノードB(eNB)という用語は、一般に、基地局またはアクセスノードを表すために使用され得る。本明細書で説明する1つまたは複数のワイヤレス通信システムは、異なるタイプの発展型ノードB(eNB)が様々な地理的領域にカバレージを提供する、異種LTE/LTE-Aネットワークを含み得る。たとえば、各アクセスノード、eNB、または基地局は、マクロセル、スモールセル、または他のタイプのセルに通信カバレージを提供し得る。「セル」という用語は、文脈に応じて、基地局、基地局に関連付けられたキャリアもしくはコンポーネントキャリア、またはキャリアもしくは基地局のカバレージエリア(たとえば、セクタなど)を表すために使用され得る。
【０１１０】
基地局は、基地トランシーバ局、無線基地局、アクセスポイント、アクセスノード、無線トランシーバ、ノードB、eノードB(eNB)、ホームノードB、ホームeノードB、もしくは何らかの他の適切な用語を含み得るか、または当業者によってそのように呼ばれ得る。アクセスノードのための地理的カバレージエリアは、カバレージエリアの一部分のみを構成するセクタに分割され得る。本明細書で説明する1つまたは複数のワイヤレス通信システムは、異なるタイプのアクセスノード(たとえば、マクロセルアクセスノードまたはスモールセルアクセスノード)を含み得る。本明細書で説明するUEは、マクロeNB、スモールセルeNB、中継アクセスノードなどを含む、様々なタイプのアクセスノードおよびネットワーク機器と通信することが可能であり得る。異なる技術のための重複する地理的カバレージエリアがあってもよい。
【０１１１】
マクロセルは、一般に、比較的大きい地理的エリア(たとえば、半径数キロメートル)をカバーし、ネットワークプロバイダのサービスに加入しているUEによる無制限アクセスを可能にし得る。スモールセルは、マクロセルと比較して、マクロセルと同じまたは異なる(たとえば、認可、無認可など)周波数帯域で動作し得る低電力アクセスノードである。スモールセルは、様々な例によれば、ピコセル、フェムトセル、およびマイクロセルを含み得る。ピコセルは、たとえば、小さい地理的エリアをカバーすることができ、ネットワークプロバイダのサービスに加入しているUEによる無制限アクセスを可能にし得る。フェムトセルも、小さい地理的エリア(たとえば、自宅)をカバーすることができ、フェムトセルとの関連付けを有するUE(たとえば、限定加入者グループ(CSG)内のUE、自宅内のユーザのためのUEなど)による制限付きアクセスを提供し得る。マクロセルのためのeNBは、マクロeNBと呼ばれることがある。スモールセルのためのeNBは、スモールセルeNB、ピコeNB、フェムトeNB、またはホームeNBと呼ばれることがある。eNBは、1つまたは複数(たとえば、2つ、3つ、4つなど)のセル(たとえば、コンポーネントキャリア)をサポートし得る。UEは、マクロeNB、スモールセルeNB、中継アクセスノードなどを含む、様々なタイプのアクセスノードおよびネットワーク機器と通信することが可能であり得る。
【０１１２】
本明細書で説明する1つまたは複数のワイヤレス通信システムは、同期動作または非同期動作をサポートし得る。同期動作の場合、アクセスノードは、同様のフレームタイミングを有することがあり、異なるアクセスノードからの送信は、時間的にほぼ整合されることがある。非同期動作の場合、アクセスノードは、異なるフレームタイミングを有することがあり、異なるアクセスノードからの送信は、時間的に整合されないことがある。本明細書で説明する技法は、同期動作または非同期動作のいずれかに使用され得る。
【０１１３】
本明細書で説明するDL送信は、順方向リンク送信と呼ばれることもあり、UL送信は、逆方向リンク送信と呼ばれることもある。たとえば、図1および図2のワイヤレス通信システム100およびバックホールネットワーク200を含む、本明細書で説明する各通信リンクは、1つまたは複数のキャリアを含み得、各キャリアは、複数のサブキャリア(たとえば、異なる周波数の波形信号)から構成される信号であり得る。
【０１１４】
添付の図面に関して本明細書に記載した説明は、例示的な構成について説明しており、実装され得るまたは特許請求の範囲内に入るすべての例を表すとは限らない。本明細書で使用する「例示的」という用語は、「例、事例、または例示として役立つ」ことを意味し、「好ましい」または「他の例よりも有利な」を意味するものではない。詳細な説明は、説明した技法の理解を与えるための具体的な詳細を含む。しかしながら、これらの技法は、これらの具体的な詳細なしに実践され得る。いくつかの事例では、説明した例の概念を不明瞭にすることを避けるために、よく知られている構造およびデバイスがブロック図の形態で示されている。
【０１１５】
添付の図では、同様の構成要素または特徴は、同じ参照ラベルを有する場合がある。さらに、同じタイプの様々な構成要素は、参照ラベルの後に、ダッシュと、同様の構成要素を区別する第2のラベルとを続けることによって区別される場合がある。第1の参照ラベルのみが本明細書で使用される場合、説明は、第2の参照ラベルにかかわらず、同じ第1の参照ラベルを有する同様の構成要素のうちのいずれにも適用可能である。
【０１１６】
本明細書で説明する情報および信号は、様々な異なる技術および技法のいずれかを使用して表され得る。たとえば、上記の説明全体にわたって参照され得るデータ、命令、コマンド、情報、信号、ビット、シンボル、およびチップは、電圧、電流、電磁波、磁場もしくは磁性粒子、光場もしくは光学粒子、またはそれらの任意の組合せによって表され得る。
【０１１７】
本明細書の本開示に関して説明する様々な例示的なブロックおよびモジュールは、汎用プロセッサ、DSP、ASIC、FPGAもしくは他のプログラマブル論理デバイス、個別ゲートもしくはトランジスタ論理、個別ハードウェア構成要素、または本明細書で説明する機能を実行するように設計されたそれらの任意の組合せを用いて実装または実行され得る。汎用プロセッサはマイクロプロセッサであり得るが、代替として、プロセッサは、任意の従来のプロセッサ、コントローラ、マイクロコントローラ、または状態機械であり得る。プロセッサはまた、コンピューティングデバイスの組合せ(たとえば、DSPとマイクロプロセッサの組合せ、複数のマイクロプロセッサ、DSPコアと連携する1つもしくは複数のマイクロプロセッサ、または任意の他のそのような構成)として実装され得る。
【０１１８】
本明細書で説明する機能は、ハードウェア、プロセッサによって実行されるソフトウェア、ファームウェア、またはそれらの任意の組合せにおいて実装され得る。プロセッサによって実行されるソフトウェアにおいて実装される場合、機能は、1つまたは複数の命令またはコードとしてコンピュータ可読媒体上に記憶され得るか、またはコンピュータ可読媒体を介して送信され得る。他の例および実装形態は、本開示および添付の特許請求の範囲の範囲および趣旨内にある。たとえば、ソフトウェアの性質により、上記で説明した機能は、プロセッサによって実行されるソフトウェア、ハードウェア、ファームウェア、ハードワイヤリング、またはこれらのうちのいずれかの組合せを使用して実装され得る。機能を実装する特徴は、機能の部分が異なる物理的ロケーションにおいて実装されるように分散されることを含めて、様々な位置に物理的に配置され得る。
【０１１９】
特許請求の範囲内を含めて本明細書で使用する場合、「および/または」という用語は、2つ以上の項目の列挙において使用されるとき、列挙された項目のうちのいずれか1つが単独で用いられ得ること、または列挙された項目のうちの2つ以上の任意の組合せが用いられ得ることを意味する。たとえば、組成物が構成要素A、B、および/またはCを含むものとして説明される場合、組成物は、Aのみ、Bのみ、Cのみ、AとBの組合せ、AとCの組合せ、BとCの組合せ、またはA、B、およびCの組合せを含むことができる。また、特許請求の範囲内を含めて本明細書で使用する場合、項目の列挙(たとえば、「のうちの少なくとも1つ」または「のうちの1つまたは複数」などの句で終わる項目の列挙)において使用される「または」は、たとえば、項目の列挙「のうちの少なくとも1つ」を指す句が単一のメンバーを含むそれらの項目の任意の組合せを指すような包括的列挙を示す。一例として、「A、B、またはCのうちの少なくとも1つ」は、A、B、C、A-B、A-C、B-C、およびA-B-C、ならびに複数の同じ要素を有する任意の組合せ(たとえば、A-A、A-A-A、A-A-B、A-A-C、A-B-B、A-C-C、B-B、B-B-B、B-B-C、C-C、およびC-C-C、または任意の他の順序のA、B、およびC)を包含するものとする。また、本明細書で使用する「に基づいて」という句は、条件の閉集合を指すものと解釈されるものではない。たとえば、「条件Aに基づいて」として説明される例示的なステップは、本開示の範囲から逸脱することなく、条件Aと条件Bの両方に基づいてもよい。言い換えれば、本明細書で使用する「に基づいて」という句は、「に少なくとも部分的に基づいて」という句と同様に解釈されるものとする。
【０１２０】
コンピュータ可読媒体は、非一時的コンピュータ記憶媒体と、ある場所から別の場所へのコンピュータプログラムの転送を容易にする任意の媒体を含む通信媒体の両方を含む。非一時的記憶媒体は、汎用または専用コンピュータによってアクセスされ得る任意の利用可能な媒体であり得る。限定ではなく例として、非一時的コンピュータ可読媒体は、RAM、ROM、電気的消去可能プログラマブル読取り専用メモリ(EEPROM)、コンパクトディスク(CD)ROMもしくは他の光ディスクストレージ、磁気ディスクストレージもしくは他の磁気ストレージデバイス、あるいは、命令またはデータ構造の形態の所望のプログラムコード手段を搬送または記憶するために使用され得、汎用もしくは専用コンピュータまたは汎用もしくは専用プロセッサによってアクセスされ得る任意の他の非一時的媒体を備え得る。また、いかなる接続もコンピュータ可読媒体と適切に呼ばれる。たとえば、ソフトウェアが、同軸ケーブル、光ファイバケーブル、ツイストペア、デジタル加入者回線(DSL)、または赤外線、無線、およびマイクロ波などのワイヤレス技術を使用して、ウェブサイト、サーバ、または他のリモートソースから送信される場合、同軸ケーブル、光ファイバケーブル、ツイストペア、デジタル加入者回線(DSL)、または赤外線、無線、およびマイクロ波などのワイヤレス技術は、媒体の定義に含まれる。本明細書で使用するディスク(disk)およびディスク(disc)は、CD、レーザーディスク(登録商標)(disc)、光ディスク(disc)、デジタル多用途ディスク(disc)(DVD)、フロッピーディスク(disk)およびBlu-ray(登録商標)ディスク(disc)を含み、ディスク(disk)は、通常、データを磁気的に再生し、ディスク(disc)は、レーザーを用いてデータを光学的に再生する。上記の組合せも、コンピュータ可読媒体の範囲内に含まれる。
【０１２１】
本明細書での説明は、当業者が本開示を作成または使用することを可能にするために与えられる。本開示の様々な修正は、当業者に容易に明らかになり、本明細書で定義する一般原理は、本開示の範囲から逸脱することなく他の変形形態に適用され得る。したがって、本開示は、本明細書で説明する例および設計に限定されず、本明細書で開示する原理および新規の特徴と一致する最も広い範囲を与えられるべきである。
【符号の説明】
【０１２２】
100  ワイヤレス通信システム
105  アクセスノード、eノードB(eNB)、第1のアクセスノード、第2のアクセスノード、第3のアクセスノード
105-a、105-b、105-c、105-d、105-e、105-f、105-g、105-h、105-i、105-j、105-k、105-l、105-m  アクセスノード
110  地理的カバレージエリア
115  ユーザ機器(UE)、UE
125  通信リンク
130  コアネットワーク
132  バックホールリンク
134  バックホールリンク
200  バックホールネットワーク
205  ANF
210  UEF
225-a、225-b、225-c、225-d  通信リンク
230  ワイヤラインバックホールリンク
300  バックホールネットワーク
305  ANF
310  UEF
330-a、330-b  ワイヤラインバックホールリンク
325、325-e、325-f、325-g、325-h  通信リンク
400  スケジュール
401  バックホールネットワーク
403  ANF
404  UEF
405  フレーム構造
410  タイムスロット
410-a  第1のタイムスロット
410-b  第2のタイムスロット
415  制御部分
420  データ部分
425、425-a、425-b、425-c  通信リンク
430、430-a、430-b、430-c  リソーススケジュール
435  アクティブモード
440  中断モード
445  中断モード
450  アクティブモード
500  プロセスフロー
600  ブロック図
605  ワイヤレスデバイス
610  受信機
615  通信マネージャ
620  送信機
700  ブロック図
705  ワイヤレスデバイス
710  受信機
715  通信マネージャ
720  送信機
725  通信リンクマネージャ
730  ノード機能マネージャ
735  アクセスノードデータマネージャ
800  ブロック図
815  通信マネージャ
820  通信リンクマネージャ
825  ノード機能マネージャ
830  アクセスノードデータマネージャ
835  トラフィックマネージャ
840  UEデータマネージャ
845  ルーティングマネージャ
900  システム
905  デバイス
910  バス
915  通信マネージャ
920  プロセッサ
925  メモリ
930  ソフトウェア、コンピュータ可読、コンピュータ実行可能ソフトウェア
935  トランシーバ
940  I/Oコントローラ
1000  方法
1100  方法
1200  方法
【図１】
2019527977.tif 000003
【図２】
2019527977.tif 000004
【図３】
2019527977.tif 000005
【図４】
2019527977.tif 000006
【図５】
2019527977.tif 000007
【図６】
2019527977.tif 000008
【図７】
2019527977.tif 000009
【図８】
2019527977.tif 000010
【図９】
2019527977.tif 000011
【図１０】
2019527977.tif 000012
【図１１】
2019527977.tif 000013
【図１２】
2019527977.tif 000014
【手続補正書】
【提出日】令和1年6月7日(2019.6.7)
【手続補正１】
【補正対象書類名】特許請求の範囲
【補正対象項目名】全文
【補正方法】変更
【補正の内容】
【特許請求の範囲】
【請求項１】
ワイヤレスノードにおけるワイヤレス通信のための方法であって、
対応する1つまたは複数の他のワイヤレスノードとの1つまたは複数の通信リンクを前記ワイヤレスノードおよび前記1つまたは複数の他のワイヤレスノードのためのネットワークスーパースケジュールをサポートする無線アクセス技術(RAT)を使用して確立するステップと、
前記ワイヤレスノードにおいて、前記ネットワークスーパースケジュールに従うスロット付きフレーム構造の第1のタイムスロットの間、複数のノード機能のうちの第1のノード機能に従って動作するステップであって、前記複数のノード機能の各ノード機能は、アクセスノード機能(ANF)アクティブモードかそれともユーザ機器機能(UEF)アクティブモードかを含み、前記ANFアクティブモードは、UEFアクティブモードで動作している少なくとも1つの他のワイヤレスノードのためのデータトラフィックをスケジュールすることをサポートし、前記UEFアクティブモードは、ANFアクティブモードで動作している少なくとも1つの他のワイヤレスノードからのスケジューリング命令に従うことをサポートする、ステップと、
前記ネットワークスーパースケジュールに従う前記スロット付きフレーム構造の第2のタイムスロットの間、前記第1のノード機能の中断モードに従って動作するステップと、
前記ネットワークスーパースケジュールに従う前記第2のタイムスロットの間、前記複数のノード機能のうちの第2のノード機能のアクティブモードに従って動作するステップと
を備える方法。
【請求項２】
前記ANFアクティブモードに従って動作するステップと、
前記ANFアクティブモード中に、前記1つまたは複数の通信リンクを介してデータトラフィックをスケジュールするステップと
をさらに備える、請求項1に記載の方法。
【請求項３】
前記UEFアクティブモードに従って動作するステップと、
前記UEFアクティブモード中に、前記1つまたは複数の通信リンクを介してデータトラフィックのためのスケジューリング命令に従うステップと
をさらに備える、請求項1に記載の方法。
【請求項４】
前記ANFアクティブモードに従って動作するステップと、
前記1つまたは複数の通信リンク上でダウンリンクデータを送信するステップと、
前記1つまたは複数の通信リンク上でアップリンクデータを受信するステップと
をさらに備える、請求項1に記載の方法。
【請求項５】
前記UEFアクティブモードに従って動作するステップと、
前記1つまたは複数の通信リンク上でアップリンクデータを送信するステップと、
前記1つまたは複数の通信リンク上でダウンリンクデータを受信するステップと
をさらに備える、請求項1に記載の方法。
【請求項６】
前記ANFアクティブモードに従って動作するステップと、
1つまたは複数のユーザ機器(UE)と通信するステップと、
前記通信に少なくとも部分的に基づいて、前記1つまたは複数のUEと前記1つまたは複数の他のワイヤレスノードとの間でデータを転送するステップと
をさらに備える、請求項1に記載の方法。
【請求項７】
前記1つまたは複数の他のワイヤレスノードと前記複数のノード機能のアクティブモードに従って通信するステップをさらに含み、
前記1つまたは複数のUEと通信する前記ステップおよび前記アクティブモードに従って通信する前記ステップが、ワイヤレスリソースの同じセットを共有する、請求項6に記載の方法。
【請求項８】
前記1つまたは複数の他のワイヤレスノードのうちの第1のワイヤレスノードと通信するために少なくとも1つのUEFアクティブモードに従って動作するステップと、
前記第1のワイヤレスノードと通信するために少なくとも1つのANFアクティブモードに従って動作するステップと
をさらに備える、請求項1に記載の方法。
【請求項９】
前記1つまたは複数の他のワイヤレスノードのうちの第1のワイヤレスノードと通信するために少なくとも第1のUEFアクティブモードに従って動作するステップと、
前記1つまたは複数の他のワイヤレスノードのうちの第2のワイヤレスノードと通信するために少なくとも第2のUEFアクティブモードに従って動作するステップであって、前記第1のワイヤレスノードは、前記第2のワイヤレスノードとは異なる、ステップと
をさらに備える、請求項1に記載の方法。
【請求項１０】
前記1つまたは複数の他のワイヤレスノードがUEFアクティブモードで動作しているか動作することになることを確認すると、前記ANFアクティブモードに従って動作するステップ
をさらに備える、請求項1に記載の方法。
【請求項１１】
前記1つまたは複数の他のワイヤレスノードがANFアクティブモードで動作しているか動作することになることを確認すると、前記UEFアクティブモードに従って動作するステップ
をさらに備える、請求項1に記載の方法。
【請求項１２】
前記1つまたは複数の他のワイヤレスノードに関連付けられたルーティングテーブルにアクセスするステップと、
前記ルーティングテーブルに少なくとも部分的に基づいて、前記ワイヤレスノードと前記1つまたは複数の他のワイヤレスノードとの間でデータを転送するステップと
をさらに備える、請求項1に記載の方法。
【請求項１３】
前記1つまたは複数の他のワイヤレスノードに関連付けられたルーティング機能に従って動作するステップと、
前記ルーティング機能に従って、前記ワイヤレスノードと前記1つまたは複数の他のワイヤレスノードとの間でデータを転送するステップと
をさらに備える、請求項1に記載の方法。
【請求項１４】
前記複数のノード機能に関連付けられたルーティングテーブルにアクセスするステップと、
前記ルーティングテーブルに少なくとも部分的に基づいて、前記複数のノード機能の間でデータを転送するステップと
をさらに備える、請求項1に記載の方法。
【請求項１５】
前記複数のノード機能に関連付けられたルーティング機能に従って動作するステップと、
前記ルーティング機能に従って、前記複数のノード機能の間でデータを転送するステップと
をさらに備える、請求項1に記載の方法。
【請求項１６】
前記1つまたは複数の通信リンクが、前記ワイヤレスノードと別のワイヤレスノードとの間の単一のリンクを備える、請求項1に記載の方法。
【請求項１７】
前記ワイヤレスノードあるいは前記1つまたは複数の他のワイヤレスノードが、ネットワークのためのワイヤラインバックホールリンクと結合される、請求項1に記載の方法。
【請求項１８】
前記1つまたは複数の通信リンクが、バックホールリンクを備える、請求項1に記載の方法。
【請求項１９】
前記ワイヤレスノードおよび前記1つまたは複数の他のワイヤレスノードが、バックホールアクセスノードを備える、請求項1に記載の方法。
【請求項２０】
前記RATが、ミリ波RATを備える、請求項1に記載の方法。
【請求項２１】
ワイヤレスノードにおけるワイヤレス通信のための装置であって、
対応する1つまたは複数の他のワイヤレスノードとの1つまたは複数の通信リンクを前記ワイヤレスノードおよび前記1つまたは複数の他のワイヤレスノードのためのネットワークスーパースケジュールをサポートする無線アクセス技術(RAT)を使用して確立するための手段と、
前記ワイヤレスノードにおいて、前記ネットワークスーパースケジュールに従うスロット付きフレーム構造の第1のタイムスロットの間、複数のノード機能のうちの第1のノード機能に従って動作するための手段であって、前記複数のノード機能の各ノード機能は、アクセスノード機能(ANF)アクティブモードかそれともユーザ機器機能(UEF)アクティブモードかを含み、前記ANFアクティブモードは、UEFアクティブモードで動作している少なくとも1つの他のワイヤレスノードのためのデータトラフィックをスケジュールすることをサポートし、前記UEFアクティブモードは、ANFアクティブモードで動作している少なくとも1つの他のワイヤレスノードからのスケジューリング命令に従うことをサポートする、手段と、
前記ネットワークスーパースケジュールに従う前記スロット付きフレーム構造の第2のタイムスロットの間、前記第1のノード機能の中断モードに従って動作するための手段と、
前記ネットワークスーパースケジュールに従う前記第2のタイムスロットの間、前記複数のノード機能のうちの第2のノード機能のアクティブモードに従って動作するための手段と
を備える装置。
【請求項２２】
前記ANFアクティブモードに従って動作するための手段と、
前記ANFアクティブモード中に、前記1つまたは複数の通信リンクを介してデータトラフィックをスケジュールするための手段と、
前記1つまたは複数の通信リンク上でダウンリンクデータを送信するための手段と、
前記1つまたは複数の通信リンク上でアップリンクデータを受信するための手段と
をさらに備える、請求項21に記載の装置。
【請求項２３】
前記UEFアクティブモードに従って動作するための手段と、
前記UEFアクティブモード中に、前記1つまたは複数の通信リンクを介してデータトラフィックのためのスケジューリング命令に従うための手段と、
前記1つまたは複数の通信リンク上でアップリンクデータを送信するための手段と、
前記1つまたは複数の通信リンク上でダウンリンクデータを受信するための手段と
をさらに備える、請求項21に記載の装置。
【請求項２４】
前記ANFアクティブモードに従って動作するための手段と、
1つまたは複数のユーザ機器(UE)と通信するための手段と、
前記1つまたは複数の他のワイヤレスノードと前記複数のノード機能のアクティブモードに従って通信するための手段であって、前記1つまたは複数のUEと通信するための前記手段および前記アクティブモードに従って通信するための前記手段が、ワイヤレスリソースの同じセットを共有する、手段と、
前記通信に少なくとも部分的に基づいて、前記1つまたは複数のUEと前記1つまたは複数の他のワイヤレスノードとの間でデータを転送するための手段と
をさらに備える、請求項21に記載の装置。
【請求項２５】
前記1つまたは複数の他のワイヤレスノードのうちの第1のワイヤレスノードと通信するために少なくとも1つのUEFアクティブモードに従って動作するための手段と、
前記第1のワイヤレスノードと通信するために少なくとも1つのANFアクティブモードに従って動作するための手段と
をさらに備える、請求項21に記載の装置。
【請求項２６】
前記1つまたは複数の他のワイヤレスノードのうちの第1のワイヤレスノードと通信するために少なくとも第1のUEFアクティブモードに従って動作するための手段と、
前記1つまたは複数の他のワイヤレスノードのうちの第2のワイヤレスノードと通信するために少なくとも第2のUEFアクティブモードに従って動作するための手段であって、前記第1のワイヤレスノードは、前記第2のワイヤレスノードとは異なる、手段と
をさらに備える、請求項21に記載の装置。
【請求項２７】
前記1つまたは複数の他のワイヤレスノードに関連付けられたルーティングテーブルにアクセスするための手段と、
前記ルーティングテーブルに少なくとも部分的に基づいて、前記ワイヤレスノードと前記1つまたは複数の他のワイヤレスノードとの間でデータを転送するための手段と
をさらに備える、請求項21に記載の装置。
【請求項２８】
前記1つまたは複数の他のワイヤレスノードに関連付けられたルーティング機能に従って動作するための手段と、
前記ルーティング機能に従って、前記ワイヤレスノードと前記1つまたは複数の他のワイヤレスノードとの間でデータを転送するための手段と
をさらに備える、請求項21に記載の装置。
【請求項２９】
前記複数のノード機能に関連付けられたルーティングテーブルにアクセスするための手段と、
前記ルーティングテーブルに少なくとも部分的に基づいて、前記複数のノード機能の間でデータを転送するための手段と
をさらに備える、請求項21に記載の装置。
【請求項３０】
前記複数のノード機能に関連付けられたルーティング機能に従って動作するための手段と、
前記ルーティング機能に従って、前記複数のノード機能の間でデータを転送するための手段と
をさらに備える、請求項21に記載の装置。
【請求項３１】
システム内の、ワイヤレスノードにおけるワイヤレス通信のための装置であって、
プロセッサと、
前記プロセッサと電子通信しているメモリと、
前記メモリに記憶され、前記プロセッサによって実行されると、
対応する1つまたは複数の他のワイヤレスノードとの1つまたは複数の通信リンクを前記ワイヤレスノードおよび前記1つまたは複数の他のワイヤレスノードのためのネットワークスーパースケジュールをサポートする無線アクセス技術(RAT)を使用して確立することと、
前記ワイヤレスノードにおいて、前記ネットワークスーパースケジュールに従うスロット付きフレーム構造の第1のタイムスロットの間、複数のノード機能のうちの第1のノード機能に従って動作することであって、前記複数のノード機能の各ノード機能は、アクセスノード機能(ANF)アクティブモードかそれともユーザ機器機能(UEF)アクティブモードかを含み、前記ANFアクティブモードは、UEFアクティブモードで動作している少なくとも1つの他のワイヤレスノードのためのデータトラフィックをスケジュールすることをサポートし、前記UEFアクティブモードは、ANFアクティブモードで動作している少なくとも1つの他のワイヤレスノードからのスケジューリング命令に従うことをサポートする、動作することと、
前記ネットワークスーパースケジュールに従う前記スロット付きフレーム構造の第2のタイムスロットの間、前記第1のノード機能の中断モードに従って動作することと、
前記ネットワークスーパースケジュールに従う前記第2のタイムスロットの間、前記複数のノード機能のうちの第2のノード機能のアクティブモードに従って動作することと
を前記装置に行わせるように動作可能な命令と
を備える装置。
【請求項３２】
前記命令がさらに、
前記ANFアクティブモードに従って動作することと、
前記ANFアクティブモード中に、前記1つまたは複数の通信リンクを介してデータトラフィックをスケジュールすることと、
前記1つまたは複数の通信リンク上でダウンリンクデータを送信することと、
前記1つまたは複数の通信リンク上でアップリンクデータを受信することと
を行うように前記プロセッサによって実行可能である、請求項31に記載の装置。
【請求項３３】
前記命令がさらに、
前記UEFアクティブモードに従って動作することと、
前記UEFアクティブモード中に、前記1つまたは複数の通信リンクを介してデータトラフィックのためのスケジューリング命令に従うことと、
前記1つまたは複数の通信リンク上でアップリンクデータを送信することと、
前記1つまたは複数の通信リンク上でダウンリンクデータを受信することと
を行うように前記プロセッサによって実行可能である、請求項31に記載の装置。
【請求項３４】
前記命令がさらに、
前記ANFアクティブモードに従って動作することと、
1つまたは複数のユーザ機器(UE)と通信することと、
前記1つまたは複数の他のワイヤレスノードと前記複数のノード機能のアクティブモードに従って通信することであって、前記1つまたは複数のUEと通信するように前記プロセッサによって実行可能な前記命令および前記アクティブモードに従って通信するように前記プロセッサによって実行可能な前記命令が、ワイヤレスリソースの同じセットを共有する、通信することと、
前記通信に少なくとも部分的に基づいて、前記1つまたは複数のUEと前記1つまたは複数の他のワイヤレスノードとの間でデータを転送することと
を行うように前記プロセッサによって実行可能である、請求項31に記載の装置。
【請求項３５】
前記命令がさらに、
前記1つまたは複数の他のワイヤレスノードのうちの第1のワイヤレスノードと通信するために少なくとも1つのUEFアクティブモードに従って動作することと、
前記第1のワイヤレスノードと通信するために少なくとも1つのANFアクティブモードに従って動作することと
を行うように前記プロセッサによって実行可能である、請求項31に記載の装置。
【請求項３６】
前記命令がさらに、
前記1つまたは複数の他のワイヤレスノードのうちの第1のワイヤレスノードと通信するために少なくとも第1のUEFアクティブモードに従って動作することと、
前記1つまたは複数の他のワイヤレスノードのうちの第2のワイヤレスノードと通信するために少なくとも第2のUEFアクティブモードに従って動作することであって、前記第1のワイヤレスノードは、前記第2のワイヤレスノードとは異なる、インスタンス化することと
を行うように前記プロセッサによって実行可能である、請求項31に記載の装置。
【請求項３７】
前記命令がさらに、
前記1つまたは複数の他のワイヤレスノードがUEFアクティブモードで動作しているか動作することになることを確認すると、前記ANFアクティブモードに従って動作すること
を行うように前記プロセッサによって実行可能である、請求項31に記載の装置。
【請求項３８】
前記命令がさらに、
前記1つまたは複数の他のワイヤレスノードがANFアクティブモードで動作しているか動作することになることを確認すると、前記UEFアクティブモードに従って動作すること
を行うように前記プロセッサによって実行可能である、請求項31に記載の装置。
【請求項３９】
前記命令がさらに、
前記1つまたは複数の他のワイヤレスノードに関連付けられたルーティングテーブルにアクセスすることと、
前記ルーティングテーブルに少なくとも部分的に基づいて、前記ワイヤレスノードと前記1つまたは複数の他のワイヤレスノードとの間でデータを転送することと
を行うように前記プロセッサによって実行可能である、請求項31に記載の装置。
【請求項４０】
前記命令がさらに、
前記1つまたは複数の他のワイヤレスノードに関連付けられたルーティング機能に従って動作することと、
前記ルーティング機能に従って、前記ワイヤレスノードと前記1つまたは複数の他のワイヤレスノードとの間でデータを転送することと
を行うように前記プロセッサによって実行可能である、請求項31に記載の装置。
【請求項４１】
前記命令がさらに、
前記複数のノード機能に関連付けられたルーティングテーブルにアクセスすることと、
前記ルーティングテーブルに少なくとも部分的に基づいて、前記複数のノード機能の間でデータを転送することと
を行うように前記プロセッサによって実行可能である、請求項31に記載の装置。
【請求項４２】
前記命令がさらに、
前記複数のノード機能に関連付けられたルーティング機能に従って動作することと、
前記ルーティング機能に従って、前記複数のノード機能の間でデータを転送することと
を行うように前記プロセッサによって実行可能である、請求項31に記載の装置。
【請求項４３】
前記1つまたは複数の通信リンクが、前記ワイヤレスノードと別のワイヤレスノードとの間の単一のリンクを備える、請求項31に記載の装置。
【請求項４４】
前記ワイヤレスノードあるいは前記1つまたは複数の他のワイヤレスノードが、ネットワークのためのワイヤラインバックホールリンクと結合される、請求項31に記載の装置。
【請求項４５】
前記1つまたは複数の通信リンクが、バックホールリンクを備える、請求項31に記載の装置。
【請求項４６】
前記ワイヤレスノードおよび前記1つまたは複数の他のワイヤレスノードが、バックホールアクセスノードを備える、請求項31に記載の装置。
【請求項４７】
前記RATが、ミリ波RATを備える、請求項31に記載の装置。
【請求項４８】
ワイヤレスノードにおけるワイヤレス通信のためのコードを記憶するコンピュータ可読記憶媒体であって、前記コードが、
対応する1つまたは複数の他のワイヤレスノードとの1つまたは複数の通信リンクを前記ワイヤレスノードおよび前記1つまたは複数の他のワイヤレスノードのためのネットワークスーパースケジュールをサポートする無線アクセス技術(RAT)を使用して確立することと、
前記ワイヤレスノードにおいて、前記ネットワークスーパースケジュールに従うスロット付きフレーム構造の第1のタイムスロットの間、複数のノード機能のうちの第1のノード機能に従って動作することであって、前記複数のノード機能の各ノード機能は、アクセスノード機能(ANF)アクティブモードかそれともユーザ機器機能(UEF)アクティブモードかを含み、前記ANFアクティブモードは、UEFアクティブモードで動作している少なくとも1つの他のワイヤレスノードのためのデータトラフィックをスケジュールすることをサポートし、前記UEFアクティブモードは、ANFアクティブモードで動作している少なくとも1つの他のワイヤレスノードからのスケジューリング命令に従うことをサポートする、動作することと、
前記ネットワークスーパースケジュールに従う前記スロット付きフレーム構造の第2のタイムスロットの間、前記第1のノード機能の中断モードに従って動作することと、
前記ネットワークスーパースケジュールに従う前記第2のタイムスロットの間、前記複数のノード機能のうちの第2のノード機能のアクティブモードに従って動作することと
を行うようにプロセッサによって実行可能な命令を備える、コンピュータ可読記憶媒体。
【請求項４９】
前記命令がさらに、
前記ANFアクティブモードに従って動作することと、
前記ANFアクティブモード中に、前記1つまたは複数の通信リンクを介してデータトラフィックをスケジュールすることと、
前記1つまたは複数の通信リンク上でダウンリンクデータを送信することと、
前記1つまたは複数の通信リンク上でアップリンクデータを受信することと
を行うように前記プロセッサによって実行可能である、請求項48に記載のコンピュータ可読記憶媒体。
【請求項５０】
前記命令がさらに、
前記UEFアクティブモードに従って動作することと、
前記UEFアクティブモード中に、前記1つまたは複数の通信リンクを介してデータトラフィックのためのスケジューリング命令に従うことと、
前記1つまたは複数の通信リンク上でアップリンクデータを送信することと、
前記1つまたは複数の通信リンク上でダウンリンクデータを受信することと
を行うように前記プロセッサによって実行可能である、請求項48に記載のコンピュータ可読記憶媒体。
【請求項５１】
前記命令がさらに、
前記ANFアクティブモードに従って動作することと、
1つまたは複数のユーザ機器(UE)と通信することと、
前記1つまたは複数の他のワイヤレスノードと前記複数のノード機能のアクティブモードに従って通信することであって、前記1つまたは複数のUEと通信するように前記プロセッサによって実行可能な前記命令および前記アクティブモードに従って通信するように前記プロセッサによって実行可能な前記命令が、ワイヤレスリソースの同じセットを共有する、通信することと、
前記通信に少なくとも部分的に基づいて、前記1つまたは複数のUEと前記1つまたは複数の他のワイヤレスノードとの間でデータを転送することと
を行うように前記プロセッサによって実行可能である、請求項48に記載のコンピュータ可読記憶媒体。
【請求項５２】
前記命令がさらに、
前記1つまたは複数の他のワイヤレスノードのうちの第1のワイヤレスノードと通信するために少なくとも1つのUEFアクティブモードに従って動作することと、
前記第1のワイヤレスノードと通信するために少なくとも1つのANFアクティブモードに従って動作することと
を行うように前記プロセッサによって実行可能である、請求項48に記載のコンピュータ可読記憶媒体。
【請求項５３】
前記命令がさらに、
前記1つまたは複数の他のワイヤレスノードのうちの第1のワイヤレスノードと通信するために少なくとも第1のUEFアクティブモードに従って動作することと、
前記1つまたは複数の他のワイヤレスノードのうちの第2のワイヤレスノードと通信するために少なくとも第2のUEFアクティブモードに従って動作することであって、前記第1のワイヤレスノードは、前記第2のワイヤレスノードとは異なる、インスタンス化することと
を行うように前記プロセッサによって実行可能である、請求項48に記載のコンピュータ可読記憶媒体。
【請求項５４】
前記命令がさらに、
前記1つまたは複数の他のワイヤレスノードに関連付けられたルーティングテーブルにアクセスすることと、
前記ルーティングテーブルに少なくとも部分的に基づいて、前記ワイヤレスノードと前記1つまたは複数の他のワイヤレスノードとの間でデータを転送することと
を行うように前記プロセッサによって実行可能である、請求項48に記載のコンピュータ可読記憶媒体。
【請求項５５】
前記命令がさらに、
前記1つまたは複数の他のワイヤレスノードに関連付けられたルーティング機能に従って動作することと、
前記ルーティング機能に従って、前記ワイヤレスノードと前記1つまたは複数の他のワイヤレスノードとの間でデータを転送することと
を行うように前記プロセッサによって実行可能である、請求項48に記載のコンピュータ可読記憶媒体。
【請求項５６】
前記命令がさらに、
前記複数のノード機能に関連付けられたルーティングテーブルにアクセスすることと、
前記ルーティングテーブルに少なくとも部分的に基づいて、前記複数のノード機能の間でデータを転送することと
を行うように前記プロセッサによって実行可能である、請求項48に記載のコンピュータ可読記憶媒体。
【請求項５７】
前記命令がさらに、
前記複数のノード機能に関連付けられたルーティング機能に従って動作することと、
前記ルーティング機能に従って、前記複数のノード機能の間でデータを転送することと
を行うように前記プロセッサによって実行可能である、請求項48に記載のコンピュータ可読記憶媒体。
【国際調査報告】
2019527977.tif 000015
2019527977.tif 000016
2019527977.tif 000017